(57)【要約】【課題】収納庫の庫内空気の組成を適切に制御できる庫内空気調節装置を提供する。【解決手段】庫内空気調節装置（30）は、第１組成調節部（40）と第２組成調節部（60）とを備える。第１組成調節部（40）は、庫外空気から庫外空気とは組成が異なる供給用空気を分離し、この供給用空気を輸送用コンテナ（1）の内部へ供給する。第２組成調節部（60）は、庫内空気から庫内空気とは組成が異なる排出用空気を分離し、この排出用空気を輸送用コンテナ（1）の外部へ排出する。【選択図】図３
2020074756.tif 000002
【特許請求の範囲】
【請求項１】
収納庫（1）の内部の庫内空気の組成を調節する庫内空気調節装置であって、
上記収納庫（1）の外部の庫外空気から該庫外空気とは組成が異なる供給用空気を分離する第１分離部（41）を有し、上記供給用空気を上記収納庫（1）の内部へ供給する第１組成調節部（40）と、
上記収納庫（1）の内部の庫内空気から該庫内空気とは組成が異なる排出用空気を分離する第２分離部（61）を有し、上記排出用空気を上記収納庫（1）の外部へ排出する第２組成調節部（60）とを備える
ことを特徴とする庫内空気調節装置。
【請求項２】
請求項１において、
上記第１組成調節部（40）は、上記収納庫（1）の内部の気圧が、該収納庫（1）の外部の気圧と異なるように上記供給用空気を上記収納庫（1）の内部へ供給する
ことを特徴とする庫内空気調節装置。
【請求項３】
請求項１において、
上記第１組成調節部（40）は、上記収納庫（1）の内部の気圧が陽圧となるように上記供給用空気を上記収納庫（1）の内部へ供給する
ことを特徴とする庫内空気調節装置。
【請求項４】
請求項３において、
上記第１組成調節部（40）が上記収納庫（1）の内部へ供給する上記供給用空気の流量が、上記第２組成調節部（60）が上記収納庫（1）の外部へ排出する上記排出用空気の流量よりも多い
ことを特徴とする庫内空気調節装置。
【請求項５】
請求項１乃至４のいずれか一つにおいて、
上記第２組成調節部（60）の上記第２分離部（61）が、上記収納庫（1）の内部の庫内空気から該庫内空気よりも二酸化炭素濃度が高い上記排出用空気を分離することによって、上記収納庫（1）の庫内空気の二酸化炭素濃度を低下させる二酸化炭素濃度低減動作を行う
ことを特徴とする庫内空気調節装置。
【請求項６】
請求項１乃至４のいずれか一つにおいて、
上記第１組成調節部（40）の上記第１分離部（41）が、上記収納庫（1）の外部の庫外空気から該庫外空気よりも酸素濃度が低い上記供給用空気を分離し、上記第２組成調節部（60）の上記第２分離部（61）が、上記庫内空気から該庫内空気よりも酸素濃度が高い上記排出用空気を分離することによって、上記収納庫（1）の庫内空気の酸素濃度を低下させる酸素濃度低減動作を行う
ことを特徴とする庫内空気調節装置。
【請求項７】
請求項６において、
上記収納庫（1）の庫内空気の酸素濃度を計測する酸素センサ（91）と、
上記酸素濃度低減動作中における上記酸素センサ（91）の計測値の変化に基づいて上記収納庫（1）内の気圧が陽圧か否かを判断し、上記収納庫（1）内の気圧が陽圧でないと判断すると上記第１組成調節部（40）が上記収納庫（1）の内部へ供給する供給用空気の流量を増やすための制御動作を行う制御器（110）とを備えている
ことを特徴とする庫内空気調節装置。
【請求項８】
請求項１乃至７のいずれか一つにおいて、
上記収納庫（1）の内部と外部を連通させるための換気用排気通路（100）と、
上記換気用排気通路（100）に設けられた換気用排気弁（101）とを備えている
ことを特徴とする庫内空気調節装置。
【請求項９】
請求項１乃至８のいずれか一つにおいて、
上記第１分離部（41）は、上記収納庫（1）の外部から導入された庫外空気である未処理庫外空気を、互いに組成が異なる第１庫外空気と第２庫外空気に分離するように構成され、
上記第１組成調節部（40）は、上記第１庫外空気と上記第２庫外空気の一方を上記供給用空気として上記収納庫（1）の内部へ供給し、他方を上記収納庫（1）の外部へ排出する一方、
上記第２分離部（61）は、上記収納庫（1）の内部から導入された庫内空気である未処理庫内空気を、互いに組成が異なる第１庫内空気と第２庫内空気に分離するように構成され、
上記第２組成調節部（60）は、上記第１庫内空気と上記第２庫内空気の一方を上記収納庫（1）の内部へ供給し、他方を上記排出用空気として上記収納庫（1）の外部へ排出する
ことを特徴とする庫内空気調節装置。
【請求項１０】
請求項９において、
上記第１分離部（41）は、上記未処理庫外空気を、該未処理庫外空気よりも窒素濃度が高くて酸素濃度が低い第１庫外空気と、上記未処理庫外空気よりも窒素濃度が低くて酸素濃度が高い第２庫外空気に分離するように構成され、
上記第２分離部（61）は、上記未処理庫内空気を、該未処理庫内空気よりも窒素濃度が高くて酸素濃度が低い第１庫内空気と、上記未処理庫内空気よりも窒素濃度が低くて酸素濃度が高い第２庫内空気に分離するように構成されている
ことを特徴とする庫内空気調節装置。
【請求項１１】
請求項９において、
上記第１分離部（41）と上記第２分離部（61）のそれぞれは、窒素の透過率が酸素の透過率と二酸化炭素の透過率の両方よりも低いガス分離膜（85）を有し、
上記第１分離部（41）は、上記未処理庫外空気を上記ガス分離膜（85）と接触させ、上記ガス分離膜（85）を透過しなかった空気を上記第１庫外空気とし、上記ガス分離膜（85）を透過した空気を上記第２庫外空気とするように構成され、
上記第２分離部（61）は、上記未処理庫内空気を上記ガス分離膜（85）と接触させ、上記ガス分離膜（85）を透過しなかった空気を上記第１庫内空気とし、上記ガス分離膜（85）を透過した空気を上記第２庫内空気とするように構成されている
ことを特徴とする庫内空気調節装置。
【請求項１２】
請求項１１において、
上記第１組成調節部（40）は、上記未処理庫外空気を加圧して上記第１分離部（41）へ供給する第１ポンプ（36）を備えている
ことを特徴とする庫内空気調節装置。
【請求項１３】
請求項１２において、
上記第１組成調節部（40）は、上記第１庫外空気の流れる配管に設けられた開度可変の第１弁機構（46）を備えている
ことを特徴とする庫内空気調節装置。
【請求項１４】
請求項１１乃至１３のいずれか一つにおいて、
上記第２組成調節部（60）は、上記未処理庫内空気を加圧して上記第２分離部（61）へ供給する第２ポンプ（37）を備えている
ことを特徴とする庫内空気調節装置。
【請求項１５】
請求項１４において、
上記第２組成調節部（60）は、上記第１庫内空気の流れる配管に設けられた開度可変の第２弁機構（66）を備えている
ことを特徴とする庫内空気調節装置。
【請求項１６】
請求項９において、
上記第１分離部（41）は、
窒素を吸着する吸着剤が設けられた吸着部（234,235）を有し、
上記吸着部（234,235）に供給された上記未処理庫外空気に含まれる窒素を上記吸着部（234,235）の上記吸着剤に吸着させることによって上記第１庫外空気を生成する吸着動作と、
上記吸着部（234,235）の上記吸着剤から窒素を脱離させることによって上記第２庫外空気を生成する脱離動作とを行うように構成され、
上記第２分離部（61）は、
窒素の透過率が酸素の透過率と二酸化炭素の透過率の両方よりも低いガス分離膜（85）を有し、
上記未処理庫内空気を上記ガス分離膜（85）と接触させ、上記ガス分離膜（85）を透過しなかった空気を上記第１庫内空気とし、上記ガス分離膜（85）を透過した空気を上記第２庫内空気とするように構成されている
ことを特徴とする庫内空気調節装置。
【請求項１７】
請求項１乃至１６のいずれか一つにおいて、
上記第１組成調節部（40）は、
上記収納庫（1）の外部の上記庫外空気を、上記第１分離部（41）をバイパスさせて上記収納庫（1）の内部へ供給するための第１バイパス通路（51,255）と、
上記第１バイパス通路（51,255）へ流入する上記庫外空気の流量を変更するための第１バイパス弁機構（50,256）とを備えている
ことを特徴とする庫内空気調節装置。
【請求項１８】
請求項１乃至１７のいずれか一つにおいて、
上記第２組成調節部（60）は、
上記収納庫（1）の内部の上記庫内空気を、上記第２分離部（61）をバイパスさせて上記収納庫（1）の内部へ供給するための第２バイパス通路（71）と、
上記第２バイパス通路（71）へ流入する上記庫内空気の流量を変更するための第２バイパス弁機構（70）とを備えている
ことを特徴とする庫内空気調節装置。
【発明の詳細な説明】
【技術分野】
【０００１】
本発明は、収納庫の庫内空気の組成を調節する庫内空気調節装置に関するものである。
【背景技術】
【０００２】
農産物等の鮮度低下の抑制を目的として、農産物等を収容する倉庫や輸送用コンテナの庫内空気の組成（例えば、庫内空気の酸素濃度や二酸化炭素濃度）を調節する庫内空気調節装置が知られている。
【０００３】
特許文献１には、庫内空気の組成を調節する装置を持ったコンテナが開示されている。この特許文献１の装置は、二酸化炭素の透過性が酸素の透過性よりも高いガス分離膜を用いて、庫内空気の組成を調節する。具体的に、この装置は、ガス分離膜の一方の表面に庫内空気を接触させ、ガス分離膜の他方の表面に二酸化炭素を殆ど含まない外気を接触させることによって、農産物等の呼吸によって生じた二酸化炭素をコンテナの外部へ排出する（特許文献１の明細書２０ページ１４行〜２１ページ２行を参照）。また、この装置は、庫内の酸素濃度が低下すると、コンテナの庫内と庫外を連通させる通路を開き、この通路を通じて外気を庫内へ流入させる（特許文献１の明細書２０ページ５〜１２行を参照）。
【先行技術文献】
【特許文献】
【０００４】
【特許文献１】国際公開第２００７／０３３６６８号
【発明の概要】
【発明が解決しようとする課題】
【０００５】
ここで、コンテナに収容される農産物等の貨物の種類によって、その貯蔵に適した庫内空気の組成は様々である。一方、上述したように、特許文献１の装置は、庫内空気に含まれる二酸化炭素を庫外へ排出し、コンテナの庫内と庫外を連通させる通路を通じて庫内へ外気を導入する。つまり、特許文献１の装置は、大気と同じ組成の空気（即ち、外気）を庫内へ供給する。このため、庫内空気の組成を、コンテナに収容される農産物等の貨物の貯蔵に適した組成に調節するのが困難な場合があった。
【０００６】
本発明は、かかる点に鑑みてなされたものであり、その目的は、収納庫の庫内空気の組成を適切に制御できる庫内空気調節装置を提供することにある。
【課題を解決するための手段】
【０００７】
第１の発明は、収納庫（1）の内部の庫内空気の組成を調節する庫内空気調節装置を対象とする。そして、上記収納庫（1）の外部の庫外空気から該庫外空気とは組成が異なる供給用空気を分離する第１分離部（41）を有し、上記供給用空気を上記収納庫（1）の内部へ供給する第１組成調節部（40）と、上記収納庫（1）の内部の庫内空気から該庫内空気とは組成が異なる排出用空気を分離する第２分離部（61）を有し、上記排出用空気を上記収納庫（1）の外部へ排出する第２組成調節部（60）とを備えるものである。
【０００８】
第１の発明の庫内空気調節装置（30）は、第１組成調節部（40）が庫外空気とは組成が異なる供給用空気を収納庫（1）の内部へ供給し、第２組成調節部（60）が庫内空気とは組成が異なる排出用空気を収納庫（1）の外部へ排出することによって、収納庫（1）内の空気の組成を調節する。また、この発明では、第２組成調節部（60）が庫内空気から分離した排出用空気を収納庫（1）の外部へ排出する一方、第１組成調節部（40）が庫外空気から分離した供給用空気を収納庫（1）の内部へ供給する。
【０００９】
第２の発明は、上記第１の発明において、上記第１組成調節部（40）は、上記収納庫（1）の内部の気圧が、該収納庫（1）の外部の気圧と異なるように上記供給用空気を上記収納庫（1）の内部へ供給するものである。
【００１０】
第２の発明では、収納庫（1）の内部の気圧が、収納庫（1）の外部の気圧と異なる値となる。つまり、この発明では、収納庫（1）の内部の気圧が調節される。
【００１１】
第３の発明は、上記第１の発明において、上記第１組成調節部（40）は、上記収納庫（1）の内部の気圧が陽圧となるように上記供給用空気を上記収納庫（1）の内部へ供給するものである。
【００１２】
第３の発明において、第１組成調節部（40）は、収納庫（1）の内部の気圧が陽圧となるように、供給用空気を収納庫（1）の内部へ供給する。空気は、気圧の高い所から気圧の低いところへ向かって流れる。従って、収納庫（1）の気密性が低い場合でも、収納庫（1）の内部の気圧が陽圧に保たれていれば、収納庫（1）の隙間から庫外空気が収納庫（1）の内部へ侵入することはない。
【００１３】
第４の発明は、上記第３の発明において、上記第１組成調節部（40）が上記収納庫（1）の内部へ供給する上記供給用空気の流量が、上記第２組成調節部（60）が上記収納庫（1）の外部へ排出する上記排出用空気の流量よりも多いものである。
【００１４】
第４の発明では、第１組成調節部（40）が収納庫（1）の内部へ供給する供給用空気の流量が、第２組成調節部（60）が収納庫（1）の外部へ排出する排出用空気の流量を上回るため、収納庫（1）内の気圧が陽圧となる。
【００１５】
第５の発明は、上記第１〜第４のいずれか一つの発明において、上記第２組成調節部（60）の上記第２分離部（61）が、上記収納庫（1）の内部の庫内空気から該庫内空気よりも二酸化炭素濃度が高い上記排出用空気を分離することによって、上記収納庫（1）の庫内空気の二酸化炭素濃度を低下させる二酸化炭素濃度低減動作を行うものである。
【００１６】
第５の発明では、庫内空気調節装置（30）が二酸化炭素濃度低減動作を行う。二酸化炭素濃度低減動作では、収納庫（1）の内部の庫内空気よりも二酸化炭素の濃度が高い排出用空気が庫内空気から分離され、この排出用空気が収納庫（1）の外部へ排出される。その結果、収納庫（1）の内部に存在する二酸化炭素の量が減少し、庫内空気の二酸化炭素の濃度が低下する。二酸化炭素濃度低減動作は、例えば、収納庫（1）に収納された植物が呼吸することによって庫内空気の二酸化炭素の濃度が上昇した場合に、庫内空気の二酸化炭素の濃度を引き下げるために行われる。
【００１７】
第６の発明は、上記第１〜第４のいずれか一つの発明において、上記第１組成調節部（40）の上記第１分離部（41）が、上記収納庫（1）の外部の庫外空気から該庫外空気よりも酸素濃度が低い上記供給用空気を分離し、上記第２組成調節部（60）の上記第２分離部（61）が、上記庫内空気から該庫内空気よりも酸素濃度が高い上記排出用空気を分離することによって、上記収納庫（1）の庫内空気の酸素濃度を低下させる酸素濃度低減動作を行うものである。
【００１８】
第６の発明では、庫内空気調節装置（30）が酸素濃度低減動作を行う。酸素濃度低減動作では、庫外空気よりも酸素の濃度が低い供給用空気が庫外空気から分離され、この供給用空気が収納庫（1）の内部へ供給されると共に、庫内空気よりも二酸化炭素の濃度が高い排出用空気が庫内空気から分離され、この排出用空気が収納庫（1）の外部へ排出される。その結果、収納庫（1）の内部に存在する酸素の量が減少し、庫内空気の酸素の濃度が低下する。酸素濃度低減動作は、例えば、庫内空気の酸素の濃度を長期間に亘る植物の保存に適した値に引き下げるために行われる。
【００１９】
第７の発明は、上記第６の発明において、上記収納庫（1）の庫内空気の酸素濃度を計測する酸素センサ（91）と、上記酸素濃度低減動作中における上記酸素センサ（91）の計測値の変化に基づいて上記収納庫（1）内の気圧が陽圧か否かを判断し、上記収納庫（1）内の気圧が陽圧でないと判断すると上記第１組成調節部（40）が上記収納庫（1）の内部へ供給する供給用空気の流量を増やすための制御動作を行う制御器（110）とを備えるものである。
【００２０】
ここで、収納庫（1）内の気圧が陽圧であれば、収納庫（1）の隙間を通って庫外空気が収納庫（1）の内部へ侵入することは無く、酸素濃度低減動作中は庫内空気の酸素濃度が次第に低下する。一方、収納庫（1）内の気圧が陰圧であれば、収納庫（1）の隙間を通って庫外空気が収納庫（1）の内部へ侵入するため、酸素濃度低減動作中であっても、庫内の酸素濃度が僅かしか低下せず、あるいは庫内の酸素濃度が上昇する。
【００２１】
そこで、第７の発明の制御器（110）は、酸素濃度低減動作中における酸素センサ（91）の計測値の変化に基づいて収納庫（1）内の気圧が陽圧か否かを判断する。この制御器（110）は、収納庫（1）内の気圧が陽圧でないと判断すると、第１組成調節部（40）が収納庫（1）の内部へ供給する供給用空気の流量を増やすための制御動作を行う。そして、供給用空気の流量が増加して排出用空気の流量を上回ると、収納庫（1）内の気圧が上昇して陽圧となる。
【００２２】
第８の発明は、第１〜第７のいずれか一つの発明において、上記収納庫（1）の内部と外部を連通させるための換気用排気通路（100）と、上記換気用排気通路（100）に設けられた換気用排気弁（101）とを備えるものである。
【００２３】
第８の発明において、換気用排気弁（101）が開いた状態では、換気用排気通路（100）を介して収納庫（1）の内部と外部が連通する。収納庫（1）内の気圧が陽圧である状態で換気用排気弁（101）を開くと、収納庫（1）の内部の庫内空気が換気用排気通路（100）を通って収納庫（1）の外部へ流出する。
【００２４】
第９の発明は、第１〜第８のいずれか一つの発明において、上記第１分離部（41）は、上記収納庫（1）の外部から導入された庫外空気である未処理庫外空気を、互いに組成が異なる第１庫外空気と第２庫外空気に分離するように構成され、上記第１組成調節部（40）は、上記第１庫外空気と上記第２庫外空気の一方を上記供給用空気として上記収納庫（1）の内部へ供給し、他方を上記収納庫（1）の外部へ排出する一方、上記第２分離部（61）は、上記収納庫（1）の内部から導入された庫内空気である未処理庫内空気を、互いに組成が異なる第１庫内空気と第２庫内空気に分離するように構成され、上記第２組成調節部（60）は、上記第１庫内空気と上記第２庫内空気の一方を上記収納庫（1）の内部へ供給し、他方を上記排出用空気として上記収納庫（1）の外部へ排出するものである。
【００２５】
第９の発明において、第１分離部（41）は、未処理庫外空気を第１庫外空気と第２庫外空気に分離する。第１組成調節部（40）は、互いに組成が異なる第１庫外空気と第２庫外空気の一方を供給用空気として収納庫（1）の内部へ供給し、他方を収納庫（1）の外部へ排出する。また、第２分離部（61）は、未処理庫内空気を第１庫内空気と第２庫内空気に分離する。第２組成調節部（60）は、互いに組成が異なる第１庫内空気と第２庫内空気の一方を収納庫（1）の内部へ供給し、他方を排出用空気として収納庫（1）の外部へ排出する。
【００２６】
第１０の発明は、上記第９の発明において、上記第１分離部（41）は、上記未処理庫外空気を、該未処理庫外空気よりも窒素濃度が高くて酸素濃度が低い第１庫外空気と、上記未処理庫外空気よりも窒素濃度が低くて酸素濃度が高い第２庫外空気に分離するように構成され、上記第２分離部（61）は、上記未処理庫内空気を、該未処理庫内空気よりも窒素濃度が高くて酸素濃度が低い第１庫内空気と、上記未処理庫内空気よりも窒素濃度が低くて酸素濃度が高い第２庫内空気に分離するように構成されるものである。
【００２７】
第１０の発明において、第１組成調節部（40）の第１分離部（41）は、収納庫（1）の外部から導入された庫外空気である未処理庫外空気を、未処理庫外空気に比べて窒素濃度が高くて酸素濃度が低い第１庫外空気と、未処理庫外空気に比べて窒素濃度が低くて酸素濃度が高い第２庫外空気に分離する。一方、第２組成調節部（60）の第２分離部（61）は、収納庫（1）の内部から導入された庫内空気である未処理庫内空気を、未処理庫内空気に比べて窒素濃度が高くて酸素濃度が低い第１庫内空気と、未処理庫内空気に比べて窒素濃度が低くて酸素濃度が高い第２庫内空気に分離する。
【００２８】
第１１の発明は、上記第９の発明において、上記第１分離部（41）と上記第２分離部（61）のそれぞれは、窒素の透過率が酸素の透過率と二酸化炭素の透過率の両方よりも低いガス分離膜（85）を有し、上記第１分離部（41）は、上記未処理庫外空気を上記ガス分離膜（85）と接触させ、上記ガス分離膜（85）を透過しなかった空気を上記第１庫外空気とし、上記ガス分離膜（85）を透過した空気を上記第２庫外空気とするように構成され、上記第２分離部（61）は、上記未処理庫内空気を上記ガス分離膜（85）と接触させ、上記ガス分離膜（85）を透過しなかった空気を上記第１庫内空気とし、上記ガス分離膜（85）を透過した空気を上記第２庫内空気とするように構成されるものである。
【００２９】
第１１の発明では、第１分離部（41）と第２分離部（61）のそれぞれにガス分離膜（85）が設けられる。第１分離部（41）において、ガス分離膜（85）を透過しなかった第１庫外空気は、未処理庫外空気に比べて窒素濃度が高くて酸素濃度が低くなり、ガス分離膜（85）を透過した第２庫外空気は、未処理庫外空気に比べて窒素濃度が低くて酸素濃度が高くなる。第２分離部（61）において、ガス分離膜（85）を透過しなかった第１庫内空気は、未処理庫内空気に比べて窒素濃度が高くて酸素濃度と二酸化炭素濃度が低くなり、ガス分離膜（85）を透過した第２庫内空気は、未処理庫内空気に比べて窒素濃度が低くて酸素濃度と二酸化炭素濃度が高くなる。
【００３０】
第１２の発明は、上記第１１の発明において、上記第１組成調節部（40）は、上記未処理庫外空気を加圧して上記第１分離部（41）へ供給する第１ポンプ（36）を備えるものである。
【００３１】
第１２の発明の第１組成調節部（40）では、第１ポンプ（36）によって加圧された未処理庫外空気が、第１分離部（41）へ供給されて第１庫外空気と第２庫外空気に分離される。
【００３２】
第１３の発明は、上記第１２の発明において、上記第１組成調節部（40）は、上記第１庫外空気の流れる配管に設けられた開度可変の第１弁機構（46）を備えるものである。
【００３３】
第１３の発明の第１組成調節部（40）では、第１庫外空気の流れる配管に第１弁機構（46）が設けられる。第１弁機構（46）の開度を変更すると、第１弁機構（46）の上流側における第１庫外空気の圧力が変化する。第１庫外空気は、第１分離部（41）のガス分離膜（85）を透過しなかった空気である。このため、第１弁機構（46）の上流側における第１庫外空気の圧力が変化すると、それに伴って第１加圧ポンプが第１分離部（41）へ供給する未処理庫外空気の圧力も変化する。一般に、ガス分離膜（85）へ供給される空気の圧力が変化すると、空気の各成分の透過率が変化する。このため、第１弁機構（46）の開度を変更すると、第１分離部（41）へ供給される未処理庫外空気の圧力が変化し、第１庫外空気と第２庫外空気の組成（例えば、窒素濃度と酸素濃度）と流量とが変化する。
【００３４】
第１４の発明は、第１１〜第１３のいずれか一つの発明において、上記第２組成調節部（60）は、上記未処理庫内空気を加圧して上記第２分離部（61）へ供給する第２ポンプ（37）を備えるものである。
【００３５】
第１４の発明の第２組成調節部（60）では、第２ポンプ（37）によって加圧された未処理庫内空気が、第２分離部（61）へ供給されて第１庫内空気と第２庫内空気に分離される。
【００３６】
第１５の発明は、上記第１４の発明において、上記第２組成調節部（60）は、上記第１庫内空気の流れる配管に設けられた開度可変の第２弁機構（66）を備えるものである。
【００３７】
第１５の発明の第２組成調節部（60）では、第１庫内空気の流れる配管に第２弁機構（66）が設けられる。第２弁機構（66）の開度を変更すると、第２弁機構（66）の上流側における第１庫内空気の圧力が変化する。第１庫内空気は、第２分離部（61）のガス分離膜（85）を透過しなかった空気である。このため、第２弁機構（66）の上流側における第１庫内空気の圧力が変化すると、それに伴って第２加圧ポンプが第２分離部（61）へ供給する未処理庫内空気の圧力も変化する。一般に、ガス分離膜（85）へ供給される空気の圧力が変化すると、空気の各成分の透過率が変化する。このため、第２弁機構（66）の開度を変更すると、第２分離部（61）へ供給される未処理庫内空気の圧力が変化し、第１庫内空気と第２庫内空気の組成（例えば、窒素濃度と酸素濃度と二酸化炭素濃度）と流量とが変化する。
【００３８】
第１６の発明は、上記第９の発明において、上記第１分離部（41）は、窒素を吸着する吸着剤が設けられた吸着部（234,235）を有し、上記吸着部（234,235）に供給された上記未処理庫外空気に含まれる窒素を上記吸着部（234,235）の上記吸着剤に吸着させることによって上記第１庫外空気を生成する吸着動作と、上記吸着部（234,235）の上記吸着剤から窒素を脱離させることによって上記第２庫外空気を生成する脱離動作とを行うように構成され、上記第２分離部（61）は、窒素の透過率が酸素の透過率と二酸化炭素の透過率の両方よりも低いガス分離膜（85）を有し、上記未処理庫内空気を上記ガス分離膜（85）と接触させ、上記ガス分離膜（85）を透過しなかった空気を上記第１庫内空気とし、上記ガス分離膜（85）を透過した空気を上記第２庫内空気とするように構成されるものである。
【００３９】
第１６の発明では、第１分離部（41）に吸着部（234,235）が設けられる。この発明の第１分離部（41）は、吸着動作と脱離動作とを行う。吸着動作において、吸着部（234,235）に供給された未処理庫外空気は、吸着剤に窒素を奪われて第２庫外空気となる。第２庫外空気は、未処理庫外空気に比べて窒素濃度が低くて酸素濃度が高い。一方、脱離動作において、吸着部（234,235）では、吸着動作中に吸着剤に吸着された窒素が、吸着剤から脱離する。その結果、吸着部（234,235）では、処理庫外空気に比べて窒素濃度が高くて酸素濃度が低い第１庫外空気が生成する。
【００４０】
また、第１６の発明では、第２分離部（61）にガス分離膜（85）が設けられる。第２分離部（61）において、ガス分離膜（85）を透過しなかった第１庫内空気は、未処理庫内空気に比べて窒素濃度が高くて酸素濃度と二酸化炭素濃度が低くなり、ガス分離膜（85）を透過した第２庫内空気は、未処理庫内空気に比べて窒素濃度が低くて酸素濃度と二酸化炭素濃度が高くなる。
【００４１】
第１７の発明は、第１〜第１６のいずれか一つの発明において、上記第１組成調節部（40）は、上記収納庫（1）の外部の上記庫外空気を、上記第１分離部（41）をバイパスさせて上記収納庫（1）の内部へ供給するための第１バイパス通路（51,255）と、上記第１バイパス通路（51,255）へ流入する上記庫外空気の流量を変更するための第１バイパス弁機構（50,256）とを備えるものである。
【００４２】
第１７の発明では、第１バイパス弁機構（50,256）を操作して庫外空気が第１バイパス通路（51,255）を流れる状態にすれば、収納庫（1）の外部から第１組成調節部（40）へ流入した庫外空気の一部または全部が、そのままの状態（即ち、組成を保った状態）で収納庫（1）の内部へ供給される。
【００４３】
第１８の発明は、第１〜第１７のいずれか一つの発明において、上記第２組成調節部（60）は、上記収納庫（1）の内部の上記庫内空気を、上記第２分離部（61）をバイパスさせて上記収納庫（1）の内部へ供給するための第２バイパス通路（71）と、上記第２バイパス通路（71）へ流入する上記庫内空気の流量を変更するための第２バイパス弁機構（70）とを備えるものである。
【００４４】
第１８の発明では、第２バイパス弁機構（70）を操作して庫内空気が第２バイパス通路（71）を流れる状態にすれば、収納庫（1）の内部から第２組成調節部（60）へ流入した庫内空気の一部または全部が、そのままの状態（即ち、組成を保った状態）で収納庫（1）の内部へ供給される。
【発明の効果】
【００４５】
本発明の庫内空気調節装置（30）は、第１組成調節部（40）が庫外空気とは組成が異なる供給用空気を収納庫（1）の内部へ供給し、第２組成調節部（60）が庫内空気とは組成が異なる排出用空気を収納庫（1）の外部へ排出する。そして、本発明の庫内空気調節装置（30）は、“収納庫（1）への供給用空気の供給”と“収納庫（1）からの排出用空気の排出”の両方を行うことによって、収納庫（1）内の空気の組成を調節する。従って、本発明によれば、“収納庫（1）からの排出用空気の排出”だけを行う場合に比べて、収納庫（1）内の庫内空気の組成を適切に制御することが可能となる。
【００４６】
上記第３の発明において、第１組成調節部（40）は、収納庫（1）の内部の気圧が陽圧となるように、収納庫（1）の外部から内部へ空気を供給する。このため、収納庫（1）内の空気の組成を調節するために第２組成調節部（60）が庫内空気から分離した排出用空気の一方を収納庫（1）の外部へ排出している状況においても、収納庫（1）内の気圧を陽圧とすることが可能となる。従って、この発明によれば、収納庫（1）の気密性が低い場合でも、収納庫（1）の隙間からの庫外空気の侵入を抑制でき、収納庫（1）内の空気の組成を適切に制御することが可能となる。
【００４７】
上記第４の発明では、第１組成調節部（40）が収納庫（1）の庫内へ供給する供給用空気の流量が、第２組成調節部（60）が収納庫（1）の庫外へ排出する排出用空気の流量を上回るため、収納庫（1）内の気圧を陽圧とすることが可能となる。
【００４８】
上記第５の発明では、庫内空気調節装置（30）が二酸化炭素濃度低減動作を行うことによって、庫内空気の二酸化炭素の濃度を制御することが可能となる。
【００４９】
上記第６の発明では、庫内空気調節装置（30）が酸素濃度低減動作を行うことによって、庫内空気の酸素の濃度を制御することが可能となる。
【００５０】
上記第７の発明において、制御器（110）は、収納庫（1）内の気圧が陽圧でないと判断すると、第１組成調節部（40）が収納庫（1）の内部へ供給する供給用空気の流量を増やすための制御動作を行う。従って、この発明によれば、収納庫（1）内の気圧を一層確実に陽圧とすることができる。
【００５１】
上記第１０の発明において、第１組成調節部（40）は、それぞれの窒素濃度と酸素濃度が未処理庫外空気と異なる第１庫外空気と第２庫外空気の一方を収納室の内部へ供給して、他方を収納室の外部へ排出する。また、第２組成調節部（60）は、それぞれの窒素濃度と酸素濃度が未処理庫内空気と異なる第１庫内空気と第２庫内空気の一方を収納室の内部へ供給して、他方を収納室の外部へ排出する。従って、この発明によれば、収納庫（1）の庫内空気の窒素濃度と酸素濃度とを調節することが可能となる。
【００５２】
上記第１１の発明では、第１組成調節部（40）は、それぞれの窒素濃度と酸素濃度が未処理庫外空気と異なる第１庫外空気と第２庫外空気の一方を収納室の内部へ供給して、他方を収納室の外部へ排出する。また、第２組成調節部（60）は、それぞれの窒素濃度と酸素濃度と二酸化炭素濃度とが未処理庫内空気と異なる第１庫内空気と第２庫内空気の一方を収納室の内部へ供給して、他方を収納室の外部へ排出する。従って、この発明によれば、収納庫（1）の庫内空気の窒素濃度と酸素濃度と二酸化炭素濃度とを調節することが可能となる。
【００５３】
上記第１３の発明では、第１ポンプ（36）が加圧した未処理庫外空気を第１分離部（41）へ供給すると共に、第１弁機構（46）の開度を調節することによって、第１庫外空気と第２庫外空気の組成（例えば、窒素濃度と酸素濃度）と流量とを制御できる。従って、この発明によれば、第１組成調節部（40）が収納庫（1）の内部へ供給する空気の組成と流量とを調節することによって、収納庫（1）の内部の空気の組成を一層適切に制御することが可能となる。
【００５４】
上記第１５の発明では、第２ポンプ（37）が加圧した未処理庫内空気を第２分離部（61）へ供給すると共に、第２弁機構（66）の開度を調節することによって、第１庫内空気と第２庫内空気の組成（例えば、窒素濃度と酸素濃度と二酸化炭素濃度）と流量とを制御できる。従って、この発明によれば、第２組成調節部（60）が収納庫（1）の内部へ供給する空気の組成と流量とを調節することによって、収納庫（1）の内部の空気の組成を一層適切に制御することが可能となる。
【００５５】
上記第１６の発明では、第１組成調節部（40）は、それぞれの窒素濃度と酸素濃度が未処理庫外空気と異なる第１庫外空気と第２庫外空気の一方を収納室の内部へ供給して、他方を収納室の外部へ排出する。また、第２組成調節部（60）は、それぞれの窒素濃度と酸素濃度と二酸化炭素濃度とが未処理庫内空気と異なる第１庫内空気と第２庫内空気の一方を収納室の内部へ供給して、他方を収納室の外部へ排出する。従って、この発明によれば、収納庫（1）の庫内空気の窒素濃度と酸素濃度と二酸化炭素濃度とを調節することが可能となる。
【図面の簡単な説明】
【００５６】
【図１】図１は、実施形態１の庫内空気調節装置を備えた輸送用コンテナの概略断面図である。
【図２】図２は、輸送用コンテナに設けられたコンテナ用冷凍機の冷媒回路の構成を示す冷媒回路図である。
【図３】図３は、実施形態１の庫内空気調節装置の構成を示す配管系統図である。
【図４】図４は、実施形態１の庫内空気調節装置に設けられた分離モジュールの概略断面図である。
【図５】図５は、実施形態１の庫内空気調節装置が行う酸素濃度低減動作を示すブロック図である。
【図６】図６は、実施形態１の庫内空気調節装置が行う二酸化炭素濃度低減動作を示すブロック図である。
【図７】図７は、実施形態２の庫内空気調節装置の構成を示す配管系統図である。
【図８】図８は、実施形態３の庫内空気調節装置の構成を示す配管系統図である。
【図９】図９は、実施形態３の第１組成調節部の第１動作中の状態を示す庫内空気調節装置の配管系統図である。
【図１０】図１０は、実施形態３の第１組成調節部の第２動作中の状態を示す庫内空気調節装置の配管系統図である。
【発明を実施するための形態】
【００５７】
本発明の実施形態を図面に基づいて詳細に説明する。
【００５８】
《実施形態１》
実施形態１について説明する。本実施形態の庫内空気調節装置（30）は、いわゆるＣＡ（Controlled Atmosphere）輸送を行うために輸送用コンテナ（1）に設けられる。そして、庫内空気調節装置（30）は、輸送用コンテナ（1）内の空気の組成を、大気の組成と異なるように調節する。
【００５９】
図１に示すように、収納庫を構成する輸送用コンテナ（1）は、コンテナ本体（2）と、コンテナ用冷凍機（10）とを備えている。この輸送用コンテナ（1）は、庫内の温度管理か可能なリーファーコンテナ（reefer container）である。本実施形態の庫内空気調節装置（30）は、コンテナ用冷凍機（10）に設置される。この輸送用コンテナ（1）は、空気中の酸素（Ｏ２）を取り込んで二酸化炭素（ＣＯ２）を放出する呼吸を行う植物を輸送するために用いられる。植物の例としては、バナナやアボカド等の果物、野菜、穀物、球根、生花等が挙げられる。
【００６０】
コンテナ本体（2）は、細長い直方体形状の箱状に形成されている。コンテナ本体（2）は、一方の端面が開口し、この開口端を塞ぐようにコンテナ用冷凍機（10）が取り付けられる。コンテナ本体（2）の内部空間は、貨物（6）を収納するための荷室（5）を構成する。
【００６１】
荷室（5）の底部には、貨物（6）を載せるための床板（3）が配置される。この床板（3）とコンテナ本体（2）の底板との間には、コンテナ用冷凍機（10）が吹き出した空気を流すための床下流路（4）が形成される。床下流路（4）は、コンテナ本体（2）の底板に沿ってコンテナ本体（2）の長手方向へ延びる流路である。床下流路（4）は、一端がコンテナ用冷凍機（10）の吹出口（27）に接続し、他端が床板（3）の上側の空間（即ち、貨物（6）が収容される空間）と連通する。
【００６２】
−コンテナ用冷凍機−
図１に示すように、コンテナ用冷凍機（10）は、ケーシング（20）と、冷凍サイクルを行う冷媒回路（11）と、庫外ファン（16）と、庫内ファン（17）とを備えている。
【００６３】
ケーシング（20）は、庫外壁部（21）と、庫内壁部（22）と、背面板（24）と、区画板（25）とを備えている。後述するように、このケーシング（20）には、冷媒回路（11）と、庫外ファン（16）と、庫内ファン（17）とが設けられる。
【００６４】
庫外壁部（21）は、コンテナ本体（2）の開口端を覆うように配置される板状の部材である。庫外壁部（21）は、下部がコンテナ本体（2）の内側へ膨出している。庫内壁部（22）は、庫外壁部（21）に沿った形態の板状の部材である。庫内壁部（22）は、庫外壁部（21）におけるコンテナ本体（2）の内側の面を覆うように配置される。庫外壁部（21）と庫内壁部（22）の間の空間には、断熱材（23）が充填されている。
【００６５】
ケーシング（20）は、その下部がコンテナ本体（2）の内側へ窪んだ形状となっている。ケーシング（20）の下部は、輸送用コンテナ（1）の外部空間と連通する庫外機器室（28）を形成する。この庫外機器室（28）には、庫外ファン（16）が配置される。
【００６６】
背面板（24）は、概ね矩形の平板状の部材である。背面板（24）は、庫内壁部（22）よりもコンテナ本体（2）の内側に配置され、庫内壁部（22）との間に庫内空気流路（29）を形成する。この庫内空気流路（29）は、その上端がケーシング（20）の吸込口（26）を構成し、その下端がケーシング（20）の吹出口（27）を構成する。
【００６７】
区画板（25）は、庫内空気流路（29）を上下に区画するように配置された板状の部材である。区画板（25）は、庫内空気流路（29）の上部に配置される。この区画板（25）によって、庫内空気流路（29）は、区画板（25）の上側の一次流路（29a）と、区画板（25）の下側の二次流路（29b）に区画される。一次流路（29a）は、吸込口（26）を介して荷室（5）と連通する。二次流路（29b）は、吹出口（27）を介して床下流路（4）と連通する。区画板（25）には、庫内ファン（17）が取り付けられる。庫内ファン（17）は、一次流路（29a）から吸い込んだ空気を二次流路（29b）へ吹き出すように配置される。
【００６８】
図２に示すように、冷媒回路（11）は、圧縮機（12）と、凝縮器（13）と、膨張弁（14）と、蒸発器（15）とを配管で接続することによって形成された閉回路である。圧縮機（12）を作動させると、冷媒回路（11）を冷媒が循環し、蒸気圧縮冷凍サイクルが行われる。図１に示すように、凝縮器（13）は、庫外機器室（28）における庫外ファン（16）の吸込側に配置され、蒸発器（15）は、庫内空気流路（29）の二次流路（29b）に配置される。また、図１では図示を省略するが、圧縮機（12）は、庫外機器室（28）に配置される。
【００６９】
−庫内空気調節装置−
図１に示すように、庫内空気調節装置（30）は、本体ユニット（31）と、センサユニット（90）と、換気用排気管（100）と、制御器（110）とを備えている。本体ユニット（31）は、コンテナ用冷凍機（10）の庫外機器室（28）に設置される。センサユニット（90）は、輸送用コンテナ（1）の庫内空気流路（29）に設置される。換気用排気管（100）は、輸送用コンテナ（1）の庫内空気流路（29）と庫外機器室（28）に亘って設置される。制御器（110）は、本体ユニット（31）に設けられて、庫内空気調節装置（30）の構成機器を制御する。センサユニット（90）、換気用排気管（100）、及び制御器（110）の詳細は、後述する。
【００７０】
図３に示すように、庫内空気調節装置（30）の本体ユニット（31）は、第１組成調節部（40）と、第２組成調節部（60）と、ポンプユニット（35）と、ユニットケース（32）とを備えている。ユニットケース（32）は、箱状の密閉容器である。第１組成調節部（40）と、第２組成調節部（60）と、ポンプユニット（35）とは、このユニットケース（32）の内部空間に配置される。第１組成調節部（40）、第２組成調節部（60）、及びポンプユニット（35）の詳細は、後述する。
【００７１】
また、庫内空気調節装置（30）は、供給管（120）と、庫内側吸入管（75）と、測定用配管（125）とを備えている。供給管（120）、庫内側吸入管（75）、及び測定用配管（125）は、本体ユニット（31）をコンテナ用冷凍機（10）の庫内空気流路（29）に接続するための配管である。
【００７２】
供給管（120）は、第１組成調節部（40）及び第２組成調節部（60）から流出した空気を荷室（5）へ供給するための配管である。供給管（120）は、入口端が第１組成調節部（40）及び第２組成調節部（60）に接続され、出口端が庫内空気流路（29）の二次流路（29b）に開口する。
【００７３】
庫内側吸入管（75）は、荷室（5）内の庫内空気を第２組成調節部（60）へ供給するための配管である。庫内側吸入管（75）は、入口端が庫内空気流路（29）の二次流路（29b）に開口し、出口端が後述する第２組成調節部（60）の第２ポンプ（37）に接続される。なお、庫内空気流路（29）の二次流路（29b）において、庫内側吸入管（75）の入口端は、供給管（120）の出口端の上流側に配置される。
【００７４】
測定用配管（125）は、供給管（120）を流れる空気をセンサユニット（90）へ供給するための配管である。測定用配管（125）は、入口端が供給管（120）に接続され、出口端がセンサユニット（90）に接続される。また、測定用配管（125）には、電磁弁からなる測定用開閉弁（126）が設けられる。この測定用開閉弁（126）は、本体ユニット（31）のユニットケース（32）に収容される。
【００７５】
なお、換気用排気管（100）と、供給管（120）と、庫内側吸入管（75）と、測定用配管（125）と、後述する各組成調節部（40,60）に設けられた配管（52〜55,71〜74,95）とは、硬質のパイプで構成されていてもよいし、柔軟なホースで構成されていてもよいし、パイプとホースを組み合わせることで構成されていてもよい。
【００７６】
〈ポンプユニット〉
図３に示すように、ポンプユニット（35）は、第１ポンプ（36）と、第２ポンプ（37）と、駆動モータ（38）とを備えている。
【００７７】
第１ポンプ（36）と第２ポンプ（37）のそれぞれは、吸い込んだ空気を吐出する空気ポンプである。第１ポンプ（36）と第２ポンプ（37）のそれぞれは、例えば容積型の流体機械によって構成される。第１ポンプ（36）と第２ポンプ（37）は、一体化されている。駆動モータ（38）は、第１ポンプ（36）及び第２ポンプ（37）に連結された電動機である。駆動モータ（38）は、第１ポンプ（36）と第２ポンプ（37）の両方を駆動する。
【００７８】
〈第１組成調節部〉
第１組成調節部（40）は、輸送用コンテナ（1）の外部から吸い込んだ庫外空気（未処理庫外空気）を第１庫外空気と第２庫外空気に分離するように構成される。本実施形態の第１組成調節部（40）は、供給用空気である第１庫外空気を荷室（5）へ供給し、第２庫外空気を輸送用コンテナ（1）の外部へ排出する。
【００７９】
第１組成調節部（40）は、エアフィルタ（47）と、第１分離モジュール（41）と、第１バイパス弁（50）と、第１圧力センサ（45）と第１調節弁（46）とを備えている。また、第１組成調節部（40）は、庫外側吸入管（55）と、第１導入管（52）と、第１一次側管（53）と、第１二次側管（54）と、第１バイパス管（51）とを備えている。また、ポンプユニット（35）の第１ポンプ（36）は、この第１組成調節部（40）を構成する。
【００８０】
エアフィルタ（47）は、庫外空気に含まれる塵埃や塩分などを捕捉するためのメンブレンフィルタである。エアフィルタ（47）は、本体ユニット（31）のユニットケース（32）に取り付けられる。エアフィルタ（47）は、庫外側吸入管（55）を介して第１ポンプ（36）の吸入口に接続する。なお、本実施形態の庫内空気調節装置（30）では、庫外側吸入管（55）を省略し、密閉容器であるユニットケース（32）の内部空間を介してエアフィルタ（47）と第１ポンプ（36）を連通させてもよい。
【００８１】
詳しくは後述するが、第１分離モジュール（41）は、第１導入口（42）と、第１一次側導出口（43）と、第１二次側導出口（44）とを備える。第１導入口（42）は、第１導入管（52）を介して第１ポンプ（36）の吐出口に接続する。第１一次側導出口（43）は、第１一次側管（53）を介して供給管（120）に接続する。第１二次側導出口（44）には、第１二次側管（54）の一端が接続する。第１二次側管（54）は、ユニットケース（32）の外部へ延びている。第１二次側管（54）の他端は、庫外機器室（28）における庫外ファン（16）の吸込側に開口する。
【００８２】
第１バイパス弁（50）は、三つのポートを有する切換弁であって、第１バイパス弁機構を構成する。第１バイパス弁（50）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００８３】
第１バイパス弁（50）は、第１導入管（52）の途中に配置される。第１バイパス弁（50）は、第１のポートが第１ポンプ（36）の吐出口に接続し、第２のポートが第１分離モジュール（41）の第１導入口（42）に接続する。第１バイパス弁（50）の第３のポートには、第１バイパス管（51）の入口端が接続する。第１バイパス管（51）の出口端は、第１一次側管（53）に接続する。第１バイパス管（51）は、第１バイパス通路を構成する。
【００８４】
第１圧力センサ（45）と第１調節弁（46）とは、第１一次側管（53）に設けられる。第１圧力センサ（45）と第１調節弁（46）とは、第１一次側管（53）に接続する第１バイパス管（51）の他端よりも第１分離モジュール（41）寄りに配置される。また、第１圧力センサ（45）は、第１調節弁（46）よりも第１分離モジュール（41）寄りに配置される。
【００８５】
第１圧力センサ（45）は、第１分離モジュール（41）の第１一次側導出口（43）から流出した第１庫外空気の圧力を計測する。第１圧力センサ（45）の計測値は、第１ポンプ（36）が第１分離モジュール（41）へ供給する未処理庫外空気の圧力と実質的に等しい。
【００８６】
第１調節弁（46）は、開度可変の電動弁であって、第１弁機構を構成する。第１調節弁（46）の開度を変更すると、第１ポンプ（36）が第１分離モジュール（41）へ供給する未処理庫外空気の圧力が変化する。
【００８７】
第１分離モジュール（41）は、第１分離部を構成する。詳しくは後述するが、第１分離モジュール（41）は、ガス分離膜（85）を備えている。そして、第１分離モジュール（41）は、未処理庫外空気を、ガス分離膜（85）を透過しなかった第１庫外空気と、ガス分離膜（85）を透過した第２庫外空気に分離する。
【００８８】
第１庫外空気は、窒素濃度が未処理庫外空気よりも高く、酸素濃度が未処理庫外空気よりも低い。第２庫外空気は、窒素濃度が未処理庫外空気よりも低く、酸素濃度が未処理庫外空気よりも高い。このように、第１庫外空気と第２庫外空気は、それぞれを構成する物質の濃度が互いに異なる。なお、本明細書における濃度は、体積割合を意味する。
【００８９】
〈第２組成調節部〉
第２組成調節部（60）は、輸送用コンテナ（1）の内部空間から吸い込んだ庫内空気（未処理庫内空気）を第１庫内空気と第２庫内空気に分離するように構成される。本実施形態の第２組成調節部（60）は、第１庫内空気を荷室（5）へ供給し、排出用空気である第２庫内空気を輸送用コンテナ（1）の外部へ排出する。
【００９０】
第２組成調節部（60）は、第２分離モジュール（61）と、第２バイパス弁（70）と、第２圧力センサ（65）と第２調節弁（66）とを備えている。また、第２組成調節部（60）は、第２導入管（72）と、第２一次側管（73）と、第２二次側管（74）と、第２バイパス管（71）とを備えている。また、ポンプユニット（35）の第２ポンプ（37）は、この第２組成調節部（60）を構成する。
【００９１】
詳しくは後述するが、第２分離モジュール（61）は、第２導入口（62）と、第２一次側導出口（63）と、第２二次側導出口（64）とを備える。第２導入口（62）は、第２導入管（72）を介して第２ポンプ（37）の吐出口に接続する。第２一次側導出口（63）は、第２一次側管（73）を介して供給管（120）に接続する。第２二次側導出口（64）には、第２二次側管（74）の一端が接続する。第２二次側管（74）は、ユニットケース（32）の外部へ延びている。第２二次側管（74）の他端は、庫外機器室（28）における庫外ファン（16）の吸込側に開口する。また、第２ポンプ（37）の吸入口には、庫内側吸入管（75）が接続する。
【００９２】
第２バイパス弁（70）は、三つのポートを有する切換弁であって、第２バイパス弁機構を構成する。第２バイパス弁（70）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００９３】
第２バイパス弁（70）は、第２導入管（72）の途中に配置される。第２バイパス弁（70）は、第１のポートが第２ポンプ（37）の吐出口に接続し、第２のポートが第２分離モジュール（61）の第２導入口（62）に接続する。第２バイパス弁（70）の第３のポートには、第２バイパス管（71）の入口端が接続する。第２バイパス管（71）の出口端は、第２一次側管（73）に接続する。第２バイパス管（71）は、第２バイパス通路を構成する。
【００９４】
第２圧力センサ（65）と第２調節弁（66）とは、第２一次側管（73）に設けられる。第２圧力センサ（65）と第２調節弁（66）とは、第２一次側管（73）に接続する第２バイパス管（71）の他端よりも第２分離モジュール（61）寄りに配置される。また、第２圧力センサ（65）は、第２調節弁（66）よりも第２分離モジュール（61）寄りに配置される。
【００９５】
第２圧力センサ（65）は、第２分離モジュール（61）の第２一次側導出口（63）から流出した第２庫外空気の圧力を計測する。第２圧力センサ（65）の計測値は、第２ポンプ（37）が第２分離モジュール（61）へ供給する未処理庫内空気の圧力と実質的に等しい。
【００９６】
第２調節弁（66）は、開度可変の電動弁であって、第２弁機構を構成する。第２調節弁（66）の開度を変更すると、第２ポンプ（37）が第２分離モジュール（61）へ供給する未処理庫内空気の圧力が変化する。
【００９７】
第２分離モジュール（61）は、第２分離部を構成する。詳しくは後述するが、第２分離モジュール（61）は、ガス分離膜（85）を備えている。そして、第２分離モジュール（61）は、未処理庫内空気を、ガス分離膜（85）を透過しなかった第１庫内空気と、ガス分離膜（85）を透過した第２庫内空気に分離する。
【００９８】
第１庫内空気は、窒素濃度が未処理庫内空気よりも高く、酸素濃度および二酸化炭素濃度が未処理庫内空気よりも低い。第２庫内空気は、窒素濃度が未処理庫内空気よりも低く、酸素濃度および二酸化炭素濃度が未処理庫内空気よりも高い。このように、第１庫内空気と第２庫内空気は、それぞれを構成する物質の濃度が互いに異なる。
【００９９】
〈分離モジュール〉
第１分離モジュール（41）及び第２分離モジュール（61）の構造について、図４を参照しながら説明する。第１分離モジュール（41）と第２分離モジュール（61）の構造は、互いに同じである。
【０１００】
各分離モジュール（41,61）は、一つの筒状ケース（80）と、二つの隔壁部（81a,81b）とを備えている。筒状ケース（80）は、両端が閉塞された細長い円筒状の容器である。隔壁部（81a,81b）は、筒状ケース（80）の内部空間を仕切るための部材であって、筒状ケース（80）の内部空間を横断するように設けられる。隔壁部（81a,81b）は、筒状ケース（80）の内部空間の一端寄りの位置と他端寄りの位置とに一つずつ配置される。図４において、筒状ケース（80）の内部空間は、左側の隔壁部（81a）の左側に位置する導入室（82）と、二つの隔壁部（81a,81b）の間に位置する二次側導出室（84）と、右側の隔壁部（81b）の右側に位置する一次側導出室（83）とに仕切られる。
【０１０１】
各分離モジュール（41,61）は、中空糸状（即ち、外径が１ｍｍ以下の非常に細い管状）に形成されたガス分離膜（85）を多数備えている。中空糸状のガス分離膜（85）は、一方の隔壁部（81a）から他方の隔壁部（81b）に亘って設けられる。各ガス分離膜（85）は、一端部が一方の隔壁部（81a）を貫通して導入室（82）に開口し、他端部が他方の隔壁部（81b）を貫通して一次側導出室（83）に開口する。筒状ケース（80）の内部空間は、二つの隔壁部（81a,81b）に挟まれた空間のうちガス分離膜（85）の外側の部分が、二次側導出室（84）を構成する。各分離モジュール（41,61）において、導入室（82）と一次側導出室（83）は、中空糸状のガス分離膜（85）を介して連通する一方、二次側導出室（84）は、ガス分離膜（85）の内側の空間、導入室（82）、及び一次側導出室（83）と非連通となる。
【０１０２】
筒状ケース（80）には、導入口（42,62）と、一次側導出口（43,63）と、二次側導出口（44,64）とが設けられる。導入口（42,62）は、図４における筒状ケース（80）の左端部に配置され、導入室（82）と連通する。一次側導出口（43,63）は、図４における筒状ケース（80）の右端部に配置され、一次側導出室（83）と連通する。二次側導出口（44,64）は、筒状ケース（80）の長手方向の中間部に配置され、二次側導出室（84）と連通する。
【０１０３】
ガス分離膜（85）は、高分子からなる非多孔膜である。このガス分離膜（85）は、物質毎に分子がガス分離膜（85）を透過する速度（透過速度）が異なることを利用して、混合ガスに含まれる成分を分離する。
【０１０４】
本実施形態の庫内空気調節装置（30）では、第１分離モジュール（41）と第２分離モジュール（61）のそれぞれに同じガス分離膜（85）が設けられる。各分離モジュール（41,61）のガス分離膜（85）は、窒素の透過速度が酸素の透過速度と二酸化炭素の透過速度の両方よりも低いという特性を有している。中空糸状の多数のガス分離膜（85）は、それぞれの膜厚が実質的に同じである。従って、各分離モジュール（41,61）に設けられたガス分離膜（85）は、窒素の透過率が酸素の透過率と二酸化炭素の透過率の両方よりも低いという特性を有している。
【０１０５】
各分離モジュール（41,61）では、導入口（42,62）を通って導入室（82）へ流入した空気が、中空糸状のガス分離膜（85）の内側の空間を一次側導出室（83）へ向かって流れる。ガス分離膜（85）の内側の空間を流れる空気は、その一部がガス分離膜（85）を透過して二次側導出室（84）へ移動し、残りが一次側導出室（83）へ流入する。
【０１０６】
各分離モジュール（41,61）のガス分離膜（85）は、窒素の透過率が酸素および二酸化炭素の透過率よりも低い。つまり、窒素は、酸素および二酸化炭素に比べてガス分離膜（85）を透過しにくい。このため、中空糸状のガス分離膜（85）の内側を流れる空気は、一次側導出室（83）へ近付くにつれて、その窒素濃度が上昇すると同時に、その酸素濃度および二酸化炭素濃度が低下する。また、中空糸状のガス分離膜（85）を流れる空気に含まれる酸素と二酸化炭素は、ガス分離膜（85）を透過して二次側導出室（84）へ移動する。
【０１０７】
その結果、ガス分離膜（85）を透過せずに一次側導出室（83）へ流入した空気は、その窒素濃度が導入室（82）の空気よりも高くなり、その酸素濃度および二酸化炭素濃度が導入室（82）の空気よりも低くなる。また、ガス分離膜（85）を透過して二次側導出室（84）へ移動した空気は、その窒素濃度が導入室（82）の空気よりも低くなり、その酸素濃度および二酸化炭素濃度が導入室（82）の空気よりも高くなる。
【０１０８】
第１分離モジュール（41）では、第１導入口（42）から導入室（82）へ未処理庫外空気が流入し、ガス分離膜（85）を透過せずに一次側導出室（83）へ流入した空気が第１庫外空気として第１一次側導出口（43）から流出し、ガス分離膜（85）を透過して二次側導出室（84）へ流入した空気が第２庫外空気として第１二次側導出口（44）から流出する。一方、第２分離モジュール（61）では、第２導入口（62）から導入室（82）へ未処理庫内空気が流入し、ガス分離膜（85）を透過せずに一次側導出室（83）へ流入した空気が第１庫内空気として第２一次側導出口（63）から流出し、ガス分離膜（85）を透過して二次側導出室（84）へ流入した空気が第２庫内空気として第２二次側導出口（64）から流出する。
【０１０９】
〈センサユニット〉
図１及び図３に示すように、センサユニット（90）は、コンテナ用冷凍機（10）の庫内空気流路（29）の二次流路（29b）に配置される。図３に示すように、センサユニット（90）は、酸素センサ（91）と、二酸化炭素センサ（92）と、センサケース（93）とを備えている。
【０１１０】
酸素センサ（91）は、空気等の混合気体の酸素濃度を計測するジルコニア電流方式のセンサである。二酸化炭素センサ（92）は、空気等の混合気体の二酸化炭素濃度を計測する非分散型赤外線吸収（ＮＤＩＲ：non dispersive infrared）方式のセンサである。酸素センサ（91）及び二酸化炭素センサ（92）は、センサケース（93）に収容される。
【０１１１】
センサケース（93）は、やや細長い箱状の部材である。センサケース（93）は、長手方向の一方の端部に測定用配管（125）の出口端が接続され、他方の端部に出口管（95）の一端が接続される。出口管（95）の他端は、庫内空気流路（29）の一次流路（29a）に開口する。また、センサケース（93）には、庫内空気流路（29）を流れる庫内空気をセンサケース（93）の内部空間へ導入するためのエアフィルタ（94）が取り付けられる。エアフィルタ（94）は、庫内空気に含まれる塵埃などを捕捉するためのメンブレンフィルタである。
【０１１２】
後述するように、庫内ファン（17）の作動中は、二次流路（29b）の気圧が一次流路（29a）の気圧よりも若干高くなる。このため、測定用開閉弁（126）が閉じた状態では、二次流路（29b）の庫内空気がエアフィルタ（94）を通ってセンサケース（93）へ流入し、その後に出口管（95）を通って一次流路（29a）へ流入する。この状態で、センサユニット（90）は、酸素センサ（91）が庫内空気の酸素濃度を計測し、二酸化炭素センサ（92）が庫内空気の二酸化炭素濃度を計測する。
【０１１３】
〈換気用排気管〉
換気用排気管（100）は、輸送用コンテナ（1）の内部と外部を繋ぐための配管である。この換気用排気管（100）は、換気用排気通路を構成する。図１に示すように、換気用排気管（100）は、コンテナ用冷凍機（10）のケーシング（20）を貫通する。換気用排気管（100）の一端は、庫内空気流路（29）の二次流路（29b）に開口する。換気用排気管（100）の他端は、庫外機器室（28）における庫外ファン（16）の吸入側に開口する。
【０１１４】
図３に示すように、換気用排気管（100）の一端には、エアフィルタ（102）が取り付けられる。エアフィルタ（102）は、庫内空気に含まれる塵埃などを捕捉するためのメンブレンフィルタである。また、換気用排気管（100）には、換気用排気弁（101）が設けられる。換気用排気弁（101）は、電磁弁からなる開閉弁である。
【０１１５】
〈制御器〉
制御器（110）は、制御動作を行うＣＰＵ（111）と、制御動作に必要なデータ等を記憶するメモリ（112）とを備える。制御器（110）には、酸素センサ（91）、二酸化炭素センサ（92）、第１圧力センサ（45）、及び第２圧力センサ（65）の計測値が入力される。制御器（110）は、ポンプユニット（35）、第１調節弁（46）、第２調節弁（66）、第１バイパス弁（50）、第２バイパス弁（70）、及び換気用排気弁（101）を操作するための制御動作を行う。
【０１１６】
−コンテナ用冷凍機の運転動作−
コンテナ用冷凍機（10）は、輸送用コンテナ（1）の庫内空気を冷却する冷却運転を行う。
【０１１７】
冷却運転では、冷媒回路（11）の圧縮機（12）が作動し、冷媒回路（11）において冷媒が循環することによって蒸気圧縮冷凍サイクルが行われる。冷媒回路（11）では、圧縮機（12）から吐出された冷媒が、凝縮器（13）と膨張弁（14）と蒸発器（15）とを順に通過し、その後に圧縮機（12）へ吸入されて圧縮される。
【０１１８】
また、冷却運転では、庫外ファン（16）と庫内ファン（17）とが作動する。庫外ファン（16）が作動すると、輸送用コンテナ（1）の外部の庫外空気が庫外機器室（28）へ吸い込まれて凝縮器（13）を通過する。凝縮器（13）では、冷媒が庫外空気へ放熱して凝縮する。庫内ファン（17）が作動すると、輸送用コンテナ（1）の荷室（5）内の庫内空気が庫内空気流路（29）へ吸い込まれて蒸発器（15）を通過する。蒸発器（15）では、冷媒が庫内空気から吸熱して蒸発する。
【０１１９】
庫内空気の流れについて説明する。荷室（5）に存在する庫内空気は、吸込口（26）を通って庫内空気流路（29）の一次流路（29a）へ流入し、庫内ファン（17）によって二次流路（29b）へ吹き出される。二次流路（29b）へ流入した庫内空気は、蒸発器（15）を通過する際に冷却され、その後に吹出口（27）から床下流路（4）へ吹き出され、床下流路（4）を通って荷室（5）へ流入する。
【０１２０】
庫内空気流路（29）において、一次流路（29a）は庫内ファン（17）の吸い込み側に位置し、二次流路（29b）は庫内ファン（17）の吹き出し側に位置する。このため、庫内ファン（17）の作動中は、二次流路（29b）の気圧が一次流路（29a）の気圧よりも若干高くなる。
【０１２１】
−庫内空気調節装置の運転動作−
庫内空気調節装置（30）は、輸送用コンテナ（1）の荷室（5）内の庫内空気の組成（本実施形態では、庫内空気の酸素濃度と二酸化炭素濃度）を調節するための運転を行う。ここでは、本実施形態の庫内空気調節装置（30）の運転動作について、庫内空気の酸素濃度の目標範囲が５％±１％であり、庫内空気の二酸化炭素濃度の目標範囲が２％±１％である場合を例に説明する。
【０１２２】
〈庫内空気調節装置の運転動作の概要〉
本実施形態の庫内空気調節装置（30）は、荷室（5）内の庫内空気の酸素濃度を低下させるための酸素濃度低減動作と、荷室（5）内の庫内空気の二酸化炭素濃度を低下させるための二酸化炭素濃度低減動作と、荷室（5）内の庫内空気の酸素濃度を上昇させるための酸素濃度増加動作とを行う。
【０１２３】
輸送用コンテナ（1）への貨物（6）の積み込みが完了した時点において、荷室（5）内に存在する庫内空気の組成は、大気の組成（窒素濃度：７８％、酸素濃度：２１％、二酸化炭素濃度：０.０４％）と実質的に同じである。そこで、庫内空気調節装置（30）は、庫内空気の酸素濃度を低下させるための酸素濃度低減動作を行う。庫内空気の酸素濃度が目標範囲の上限値（６％）に達すると、庫内空気調節装置（30）は、酸素濃度低減動作を停止する。
【０１２４】
庫内空気の酸素濃度が６％に達して庫内空気調節装置（30）の酸素濃度停止動作が停止した後は、貨物（6）である植物が呼吸することによって、庫内空気の酸素濃度が次第に低下してゆくと同時に、庫内空気の二酸化炭素濃度が次第に上昇する。
【０１２５】
庫内空気の二酸化炭素濃度が目標範囲の上限値（３％）に達すると、庫内空気調節装置（30）は、庫内空気の二酸化炭素濃度を低下させるための二酸化炭素濃度低減動作を行う。庫内空気の二酸化炭素濃度が目標範囲の下限値（１％）に達すると、庫内空気調節装置（30）は、二酸化炭素濃度低減動作を停止する。
【０１２６】
また、庫内空気の酸素濃度が目標範囲の下限値（４％）に達すると、庫内空気調節装置（30）は、庫内空気の酸素濃度を上昇させるための酸素濃度増加動作を行う。庫内空気の酸素濃度が目標範囲の上限値（６％）に達すると、庫内空気調節装置（30）は、酸素濃度増加動作を停止する。
【０１２７】
このように、庫内空気調節装置（30）は、荷室（5）内の庫内空気の酸素濃度を２１％（大気の酸素濃度）から目標範囲にまで引き下げるために、酸素濃度低減動作を行う。また、庫内空気調節装置（30）は、荷室（5）内の庫内空気の酸素濃度と二酸化炭素濃度を、それぞれの目標範囲に維持するために、二酸化炭素低減動作と酸素濃度増加動作とを適宜繰り返して行う。
【０１２８】
〈酸素濃度低減動作〉
庫内空気調節装置（30）の酸素濃度低減動作について、図３〜図５を適宜参照しながら説明する。この酸素濃度低減動作では、第１組成調節部（40）が酸素濃度の低い第１庫外空気を荷室（5）へ供給し、第２組成調節部（60）が酸素濃度の低い第１庫内空気を荷室（5）へ供給する。
【０１２９】
酸素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定する。
【０１３０】
先ず、第１ポンプ（36）が作動すると、輸送用コンテナ（1）の外部に存在する庫外空気が、エアフィルタ（47）と庫外側吸入管（55）を通って第１ポンプ（36）に吸い込まれる。第１ポンプ（36）は、吸い込んだ庫外空気を加圧して吐出する。第１ポンプ（36）が吐出する庫外空気の圧力は、大気圧の２倍程度である。第１ポンプ（36）から吐出された庫外空気は、第１導入管（52）を流れ、第１分離モジュール（41）の第１導入口（42）へ未処理庫外空気として流入する。
【０１３１】
第１分離モジュール（41）において、第１導入口（42）を通って導入室（82）へ流入した未処理庫外空気は、中空糸状のガス分離膜（85）へ流入する。中空糸状のガス分離膜（85）の内側を流れる空気は、その一部がガス分離膜（85）を透過して第２庫外空気として二次側導出室（84）へ移動し、残りが第１庫外空気として一次側導出室（83）へ流入する。上述したように、ガス分離膜（85）は、窒素の透過率が酸素の透過率よりも低い特性を持つ。このため、図５に示すように、第１庫外空気の酸素濃度は、未処理庫外空気の酸素濃度よりも低く、第２庫外空気の酸素濃度は、未処理庫外空気の酸素濃度よりも高い。
【０１３２】
第１分離モジュール（41）の第１一次側導出口（43）から第１一次側管（53）へ流出した第１庫外空気は、供給管（120）へ流入する。一方、第１分離モジュール（41）の第１二次側導出口（44）から第１二次側管（54）へ流出した第２庫外空気は、輸送用コンテナ（1）の外部へ排出される。
【０１３３】
次に、第２ポンプ（37）が作動すると、輸送用コンテナ（1）の内部（具体的には、コンテナ用冷凍機（10）の二次流路（29b））に存在する庫内空気が、庫内側吸入管（75）を通って第２ポンプ（37）に吸い込まれる。第２ポンプ（37）は、吸い込んだ庫内空気を加圧して吐出する。第２ポンプ（37）が吐出する庫外空気の圧力は、大気圧よりも若干高い程度である。第２ポンプ（37）から吐出された庫内空気は、第２導入管（72）を流れ、第２分離モジュール（61）の第２導入口（62）へ未処理庫内空気として流入する。
【０１３４】
第２分離モジュール（61）において、第２導入口（62）を通って導入室（82）へ流入した未処理庫内空気は、中空糸状のガス分離膜（85）へ流入する。中空糸状のガス分離膜（85）の内側を流れる空気は、その一部がガス分離膜（85）を透過して第２庫内空気として二次側導出室（84）へ移動し、残りが第１庫内空気として一次側導出室（83）へ流入する。上述したように、ガス分離膜（85）は、窒素の透過率が酸素の透過率よりも低い特性を持つ。このため、図５に示すように、第１庫内空気の酸素濃度は、未処理庫外空気の酸素濃度よりも低く、第２庫内空気の酸素濃度は、未処理庫外空気の酸素濃度よりも高い。
【０１３５】
第２分離モジュール（61）の第２一次側導出口（63）から第２一次側管（73）へ流出した第１庫内空気は、供給管（120）へ流入する。一方、第２分離モジュール（61）の第２二次側導出口（64）から第２二次側管（74）へ流出した第２庫内空気は、輸送用コンテナ（1）の外部へ排出される。
【０１３６】
上述したように、供給管（120）には、第１分離モジュール（41）から流出した第１庫外空気と、第２分離モジュール（61）から流出した第１庫内空気とが流入する。そして、供給管（120）を流れる第１庫外空気と第１庫内空気の混合空気は、コンテナ用冷凍機（10）の二次流路（29b）へ流入し、二次流路（29b）を流れる空気と共に荷室（5）へ供給される。
【０１３７】
通常、酸素濃度低減動作中は、輸送用コンテナ（1）の外部から内部へ供給される第１庫外空気の流量Ｑｏ１が、輸送用コンテナ（1）の内部から外部へ排出される第２庫内空気の流量Ｑｉ２よりも大きくなっており（Ｑｏ１＞Ｑｉ２）、輸送用コンテナ（1）内の気圧が陽圧となる（図５を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、庫内空気の一部は、換気用排気管（100）を通って輸送用コンテナ（1）の外部へ排出される。
【０１３８】
このように、酸素濃度低減動作では、大気に比べて酸素濃度の低い第１庫外空気を供給すると同時に、換気用排気管（100）を通じて荷室（5）内の庫内空気を輸送用コンテナ（1）の外部へ排出し、荷室（5）の空気を第１庫外空気に入れ替えることによって、荷室（5）内の庫内空気の酸素濃度を低下させる。また、酸素濃度低減動作では、未処理庫内空気から分離された酸素濃度の高い第２庫内空気を輸送用コンテナ（1）の外部へ排出することによって、荷室（5）内の庫内空気の酸素濃度を低下させる。
【０１３９】
〈二酸化炭素濃度低減動作〉
庫内空気調節装置（30）の二酸化炭素濃度低減動作について、図３,図４,図６を適宜参照しながら説明する。この二酸化炭素低減動作では、第１組成調節部（40）が酸素濃度の低い第１庫外空気を荷室（5）へ供給し、第２組成調節部（60）が二酸化炭素濃度の低い第１庫内空気を荷室（5）へ供給する。
【０１４０】
二酸化炭素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。そして、第１組成調節部（40）と第２組成調節部（60）のそれぞれにおいて、空気は、酸素濃度低減動作と同様に流れる。ただし、二酸化炭素濃度低減動作において、第１ポンプ（36）が吐出する庫外空気の圧力と、第２ポンプ（37）が吐出する庫内空気の圧力は、いずれも大気圧よりも若干高い程度である。
【０１４１】
第１組成調節部（40）では、第１分離モジュール（41）へ流入した未処理庫外空気が、未処理庫外空気よりも窒素濃度が高くて酸素濃度が低い第１庫外空気と、未処理庫外空気よりも窒素濃度が低くて酸素濃度が高い第２庫外空気とに分離される。そして、第１庫外空気が輸送用コンテナ（1）の内部へ供給され、第２庫外空気が輸送用コンテナ（1）の外部へ排出される。なお、未処理庫外空気の二酸化炭素濃度は、大気の二酸化炭素濃度（０.０４％）と実質的に同じである。このため、第１庫外空気の二酸化炭素濃度は実質的にゼロと見なせる。
【０１４２】
第２組成調節部（60）では、第２分離モジュール（61）へ流入した未処理庫内空気が、未処理庫内空気よりも窒素濃度が高くて酸素濃度および二酸化炭素濃度が低い第１庫内空気と、未処理庫内空気よりも窒素濃度が低くて酸素濃度および二酸化炭素濃度が高い第２庫内空気とに分離される。そして、第１庫内空気が輸送用コンテナ（1）の内部へ供給され、第２庫内空気が輸送用コンテナ（1）の外部へ排出される。
【０１４３】
通常、二酸化炭素濃度低減動作中は、酸素濃度低減動作中と同様に、第１庫外空気の流量Ｑｏ１が第２庫内空気の流量Ｑｉ２よりも大きくなっており（Ｑｏ１＞Ｑｉ２）、輸送用コンテナ（1）内の気圧が陽圧となる（図６を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、荷室（5）内の庫内空気の一部は、換気用排気管（100）を通って輸送用コンテナ（1）の外部へ排出される。
【０１４４】
このように、二酸化炭素濃度低減動作では、二酸化炭素濃度の極めて低い第１庫外空気を供給すると同時に、換気用排気管（100）を通じて庫内空気を輸送用コンテナ（1）の外部へ排出し、荷室（5）の空気を第１庫外空気に入れ替えることによって、荷室（5）内の庫内空気の二酸化炭素濃度を低下させる。また、二酸化炭素濃度低減動作では、未処理庫内空気から分離された二酸化炭素濃度の高い第２庫内空気を輸送用コンテナ（1）の外部へ排出することによって、荷室（5）内の庫内空気の二酸化炭素濃度を低下させる。
【０１４５】
〈酸素濃度増加動作〉
庫内空気調節装置（30）の酸素濃度増加動作について、図３を参照しながら説明する。この酸素濃度増加動作では、第１組成調節部（40）が輸送用コンテナ（1）の外部から吸い込んだ庫外空気をそのまま荷室（5）へ供給し、第２組成調節部（60）が輸送用コンテナ（1）の内部から吸い込んだ庫内空気をそのまま荷室（5）へ送り返す。
【０１４６】
酸素濃度増加動作において、制御器（110）は、第１バイパス弁（50）と第２バイパス弁（70）のそれぞれを第２状態（図３に破線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。
【０１４７】
第１組成調節部（40）において、第１ポンプ（36）から吐出された庫外空気は、第１バイパス管（51）へ流入し、その窒素濃度と酸素濃度を保った状態で第１一次側管（53）へ流入し、その後に供給管（120）を通って輸送用コンテナ（1）の内部へ供給される。一方、第２組成調節部（60）において、第２ポンプ（37）へ吸い込まれた庫内空気は、第２ポンプ（37）から吐出された後に第２バイパス管（71）を通って第２一次側管（73）へ流入し、その後に供給管（120）を通って輸送用コンテナ（1）の内部へ戻る。また、荷室（5）内の庫内空気の一部は、換気用排気管（100）を通って輸送用コンテナ（1）の外部へ排出される。
【０１４８】
このように、酸素濃度増加動作では、庫内空気よりも酸素濃度の高い庫外空気を輸送用コンテナ（1）の内部へ供給することによって、荷室（5）内の酸素濃度を上昇させる。
【０１４９】
−制御器の制御動作−
庫内空気調節装置（30）の制御器（110）は、酸素センサ（91）及び二酸化炭素センサ（92）の計測値を監視する。そして、庫内空気調節装置（30）が上述した動作を行うことによって、庫内空気の酸素濃度と二酸化炭素濃度をそれぞれの目標範囲に保たれるように、酸素センサ（91）及び二酸化炭素センサ（92）の計測値に基づいて庫内空気調節装置（30）の構成機器を制御する。
【０１５０】
ところで、輸送用コンテナ（1）の気密性が完全であることは、実際には有り得ない。このため、輸送用コンテナ（1）内が陰圧になると、輸送用コンテナ（1）の隙間を通って庫外空気（即ち、大気）が輸送用コンテナ（1）の内部へ侵入する。酸素濃度低減動作の実行中に庫外空気が輸送用コンテナ（1）の内部へ侵入すると、庫内空気の酸素濃度の低下速度（即ち、単位時間当たりの酸素濃度の低下量）が非常に低くなる場合や、庫内空気の酸素濃度が上昇する場合がある。また、二酸化炭素濃度低減動作の実行中に庫外空気が輸送用コンテナ（1）の内部へ侵入すると、貨物（6）である植物が呼吸によって酸素を消費しているにも拘わらず、庫内空気の酸素濃度が上昇する場合がある。そこで、このような場合、庫内空気調節装置（30）の制御器（110）は、輸送用コンテナ（1）内の気圧を陽圧にするための陽圧維持動作を行う。
【０１５１】
〈陽圧維持動作〉
制御器（110）は、酸素濃度低減動作及び二酸化炭素濃度低減動作の実行中に、酸素センサ（91）の計測値を監視する。制御器（110）は、酸素濃度低減動作及び二酸化炭素濃度低減動作の実行中に酸素センサ（91）の計測値の低下速度（即ち、単位時間当たりの計測値の低下量）が所定の基準値を下回るという判定条件が成立すると、輸送用コンテナ（1）内の気圧が陰圧となって庫外空気が輸送用コンテナ（1）の内部へ侵入していると判断する。なお、酸素センサ（91）の計測値が上昇している場合は、酸素センサ（91）の計測値の低下速度が負の値となる。
【０１５２】
上述した判定条件が成立すると、制御器（110）は、第１組成調節部（40）が輸送用コンテナ（1）の内部へ供給する第１庫外空気の流量を増やすための陽圧維持動作を行う。制御器（110）は、第１組成調節部（40）に設けられた第１調節弁（46）の開度を拡大する動作を、陽圧維持動作として行う。
【０１５３】
陽圧維持動作において、制御器（110）は、第１圧力センサ（45）の計測値を読み込み、読み込んだ第１圧力センサ（45）の計測値よりも低い値を、目標圧力とする。そして、制御器（110）は、第１圧力センサ（45）の計測値が目標圧力となるように、第１調節弁（46）の開度を調節する。第１調節弁（46）の開度が大きくなるほど、第１圧力センサ（45）の計測値は低くなる。そのため、第１圧力センサ（45）の計測値が目標圧力となるように第１調節弁（46）の開度を調節すれば、第１調節弁（46）の開度が次第に拡大する。
【０１５４】
一般に、ガス分離膜（85）には、“その一次側の面に接する空気の圧力とその二次側の面に接する空気の圧力の差が小さいほど、ガス分離膜（85）を透過する空気の成分が少なくなる”という特性がある。第１調節弁（46）の開度が拡大すると、第１分離モジュール（41）のガス分離膜（85）の内側（一次側）を流れる空気の圧力が低くなり、ガス分離膜（85）を透過する空気の成分が減少する。このため、第１調節弁（46）の開度が拡大すると、第１分離モジュール（41）から流出する第１庫外空気の流量が増加する。その結果、第１組成調節部（40）が輸送用コンテナ（1）の内部へ供給する第１庫外空気の流量が増加し、輸送用コンテナ（1）内の気圧が上昇する。
【０１５５】
上述したように、第１調節弁（46）の開度が拡大すると、ガス分離膜（85）を透過する空気の成分が減少する。このため、制御器（110）が陽圧維持動作を行うことによって第１調節弁（46）の開度が拡大すると、それに伴って第１庫外空気の酸素濃度が上昇する。しかし、その場合でも、第１庫外空気の酸素濃度は、大気の酸素濃度よりも低く保たれる。このため、輸送用コンテナ（1）内の気圧を陽圧にして庫外空気の荷室（5）内への侵入を抑えることによって、荷室（5）内の庫内空気の酸素濃度は低下してゆく。
【０１５６】
−実施形態１の効果−
本実施形態の庫内空気調節装置（30）は、輸送用コンテナ（1）内の気圧を陽圧に保ちつつ、輸送用コンテナ（1）内の庫内空気の組成を調節する動作を行う。従って、本実施形態によれば、輸送用コンテナ（1）の気密性がそれほど高くない場合であっても、輸送用コンテナ（1）内への庫外空気（大気）の侵入を防ぐことができ、その結果、輸送用コンテナ（1）内の庫内空気の組成を適切に調節することが可能となる。
【０１５７】
特に、二酸化炭素濃度低減動作中は、第２組成調節部（60）が未処理庫内空気から分離した二酸化炭素濃度の高い第２庫内空気を輸送用コンテナ（1）の外部へ排出することによって、荷室（5）内の庫内空気の二酸化炭素濃度を適切に制御しつつ、第１組成調節部（40）が第１庫外空気を輸送用コンテナ（1）の内部へ供給することによって、輸送用コンテナ（1）内の気圧が陽圧に保たれる。従って、本実施形態によれば、輸送用コンテナ（1）の内部への庫外空気（大気）の侵入を防いで庫内空気の酸素濃度と上昇を抑えつつ、庫内空気の二酸化炭素濃度を適切に制御することが可能となる。
【０１５８】
また、二酸化炭素濃度低減動作中は、第２組成調節部（60）が未処理庫内空気よりも二酸化炭素濃度の高い第２庫内空気を輸送用コンテナ（1）の外部へ排出すると同時に、第１組成調節部（40）が未処理庫外空気よりも酸素濃度の低い第１庫外空気を輸送用コンテナ（1）の内部へ供給する。このため、未処理庫外空気をそのまま輸送用コンテナ（1）の内部へ供給する場合に比べて、輸送用コンテナ（1）の庫内空気の酸素濃度の変動を抑えることができ、庫内空気の組成を適正値に近い状態に保つことが可能となる。
【０１５９】
また、酸素濃度低減動作中は、第１組成調節部（40）が未処理庫外空気よりも酸素濃度の低い第１庫外空気を輸送用コンテナ（1）の内部へ供給すると同時に、第２組成調節部（60）が未処理庫内空気よりも酸素濃度の高い第２庫内空気を輸送用コンテナ（1）の外部へ排出する。従って、本実施形態によれば、第１庫外空気の供給によって荷室（5）内の庫内空気の酸素濃度を低下させる場合に比べて、荷室（5）内の庫内空気の酸素濃度を目標範囲にまで引き下げるのに要する時間を短縮できる。
【０１６０】
《実施形態２》
実施形態２について説明する。本実施形態の庫内空気調節装置（30）は、実施形態１の庫内空気調節装置（30）において、第１組成調節部（40）及び第２組成調節部（60）の構成を変更したものである。ここでは、本実施形態の庫内空気調節装置（30）について、実施形態１の庫内空気調節装置（30）と異なる点を説明する。
【０１６１】
〈第１組成調節部〉
図７に示すように、本実施形態の第１組成調節部（40）には、第１一次側切換弁（56）と、第１一次側排出管（57）と、第１二次側切換弁（58）と、第１二次側供給管（59）とが追加される。
【０１６２】
第１一次側切換弁（56）と第１二次側切換弁（58）のそれぞれは、三つのポートを有する切換弁である。第１一次側切換弁（56）と第１二次側切換弁（58）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６３】
第１一次側切換弁（56）は、第１一次側管（53）の途中に配置される。第１一次側管（53）において、第１一次側切換弁（56）は、第１バイパス管（51）の出口端よりも供給管（120）寄りに配置される。第１一次側切換弁（56）は、第１のポートが第１調節弁（46）に接続し、第２のポートが供給管（120）に接続する。第１一次側切換弁（56）の第３のポートには、第１一次側排出管（57）の一端が接続する。第１一次側排出管（57）の他端は、第１二次側管（54）に接続する。
【０１６４】
第１二次側切換弁（58）は、第１二次側管（54）の途中に配置される。第１二次側管（54）において、第１二次側切換弁（58）は、第１一次側排出管（57）の他端よりも第１分離モジュール（41）寄りに配置される。第１二次側切換弁（58）は、第１のポートが第１分離モジュール（41）の第１二次側導出口（44）に接続し、第２のポートが第１二次側管（54）を介して輸送用コンテナ（1）の庫外機器室（28）と連通する。第１二次側切換弁（58）の第３のポートには、第１二次側供給管（59）の一端が接続する。第１二次側供給管（59）の他端は、供給管（120）に接続する。
【０１６５】
〈第２組成調節部〉
本実施形態の第２組成調節部（60）には、第２一次側切換弁（76）と、第２一次側排出管（77）と、第２二次側切換弁（78）と、第２二次側供給管（79）とが追加される。
【０１６６】
第２一次側切換弁（76）と第２二次側切換弁（78）のそれぞれは、三つのポートを有する切換弁である。第２一次側切換弁（76）と第２二次側切換弁（78）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１６７】
第２一次側切換弁（76）は、第２一次側管（73）の途中に配置される。第２一次側管（73）において、第２一次側切換弁（76）は、第２バイパス管（71）の出口端よりも供給管（120）寄りに配置される。第２一次側切換弁（76）は、第１のポートが第２調節弁（66）に接続し、第２のポートが供給管（120）に接続する。第２一次側切換弁（76）の第３のポートには、第２一次側排出管（77）の一端が接続する。第２一次側排出管（77）の他端は、第２二次側管（74）に接続する。
【０１６８】
第２二次側切換弁（78）は、第２二次側管（74）の途中に配置される。第２二次側管（74）において、第２二次側切換弁（78）は、第２一次側排出管（77）の他端よりも第２分離モジュール（61）寄りに配置される。第２二次側切換弁（78）は、第１のポートが第２分離モジュール（61）の第２二次側導出口（64）に接続し、第２のポートが第２二次側管（74）を介して輸送用コンテナ（1）の庫外機器室（28）と連通する。第２二次側切換弁（78）の第３のポートには、第２二次側供給管（79）の一端が接続する。第２二次側供給管（79）の他端は、供給管（120）に接続する。
【０１６９】
−運転動作−
第１組成調節部（40）において、第１一次側切換弁（56）と第１二次側切換弁（58）の両方が第１状態（図７に実線で示す状態）に設定された場合、第１庫外空気は、第１一次側管（53）を通って輸送用コンテナ（1）の内部へ供給され、第２庫外空気は、第２二次側管（74）を通って輸送用コンテナ（1）の外部へ排出される。一方、第１一次側切換弁（56）と第１二次側切換弁（58）の両方が第２状態（図７に破線で示す状態）に設定された場合、第１庫外空気は、第１一次側排出管（57）を通って輸送用コンテナ（1）の外部へ排出され、第２庫外空気は、第１二次側供給管（59）を通って輸送用コンテナ（1）の内部へ供給される。
【０１７０】
第２組成調節部（60）において、第２一次側切換弁（76）と第２二次側切換弁（78）の両方が第１状態（図７に実線で示す状態）に設定された場合、第１庫内空気は、第２一次側管（73）を通って輸送用コンテナ（1）の内部へ供給され、第２庫内空気は、第２二次側管（74）を通って輸送用コンテナ（1）の外部へ排出される。一方、第２一次側切換弁（76）と第２二次側切換弁（78）の両方が第２状態（図７に破線で示す状態）に設定された場合、第１庫内空気は、第２一次側排出管（77）を通って輸送用コンテナ（1）の外部へ排出され、第２庫内空気は、第２二次側供給管（79）を通って輸送用コンテナ（1）の内部へ供給される。
【０１７１】
《実施形態３》
実施形態３の庫内空気調節装置（30）について説明する。実施形態の庫内空気調節装置（30）は、実施形態１の庫内空気調節装置（30）において、第１組成調節部（40）及び制御器（110）を変更したものである。ここでは、実施形態３の庫内空気調節装置（30）について、実施形態１の庫内空気調節装置（30）と異なる点を説明する。
【０１７２】
−第１組成調節部の構成−
本実施形態の第１組成調節部（40）は、実施形態１の第１組成調節部（40）と同様に、輸送用コンテナ（1）の外部から吸い込んだ庫外空気（未処理庫外空気）を第１庫外空気と第２庫外空気に分離するように構成される。本実施形態の第１組成調節部（40）は、いわゆるＰＳＡ（Pressure Swing Adsorption）法によって、未処理庫外空気を第１庫外空気と第２庫外空気に分離するように構成されており、この点で実施形態１の第１組成調節部（40）と相違する。
【０１７３】
図８に示すように、本実施形態の第１組成調節部（40）は、ポンプユニット（35）の第１ポンプ（36）に代えて、エアポンプ（231）を備える。つまり、本実施形態の庫内空気調節装置（30）において、ポンプユニット（35）は、第２ポンプ（37）及び駆動モータ（38）を備えるが、第１ポンプ（36）を備えていない。また、本実施形態の第１組成調節部（40）は、第１方向制御弁（232）及び第２方向制御弁（233）と、第１吸着筒（234）及び第２吸着筒（235）とを備える。後述するように、各吸着筒（234,235）には、空気中の窒素を吸着する吸着剤が設けられる。
【０１７４】
〈エアポンプ〉
エアポンプ（231）は、ユニットケース（32）の内部空間に配置される。エアポンプ（231）は、それぞれが空気を吸引して加圧して吐出する第１ポンプ機構（231a）及び第２ポンプ機構（231b）を備える。第１ポンプ機構（231a）及び第２ポンプ機構（231b）は、潤滑油を使用しないオイルレスのポンプである。加圧部である第１ポンプ機構（231a）と、減圧部である第２ポンプ機構（231b）とは、それらの両方が駆動モータ（231c）の駆動軸に接続される。第１ポンプ機構（231a）及び第２ポンプ機構（231b）のぞれぞれは、駆動モータ（231c）によって回転駆動されることによって、吸込口から空気を吸引して加圧し、加圧した空気を吐出口から吐出する。
【０１７５】
〈外気管、吐出管、フィルタユニット〉
第１ポンプ機構（231a）の吸込口には、外気通路を形成する外気管（241）の一端が接続される。外気管（241）は、ユニットケース（32）を貫通するように設けられる。ユニットケース（32）の外部に位置する外気管（241）の他端は、フィルタユニット（220）に接続される。
【０１７６】
フィルタユニット（220）は、エアフィルタ（47）を備える。エアフィルタ（47）は、庫外空気に含まれる塵埃や塩分などを捕捉するためのフィルタである。本実施形態では、通気性と防水性を有するメンブレンフィルタが、エアフィルタ（47）として用いられる。フィルタユニット（220）は、箱状に形成された部材であり、エアフィルタ（47）を通過した空気（庫外空気）を外気管（241）へ導入する。図示しないが、フィルタユニット（220）は、庫外機器室（28）における凝縮器（13）の下流側に配置される。
【０１７７】
第１ポンプ機構（231a）の吐出口には、吐出通路を形成する吐出管（242）の一端が接続される。吐出管（242）は、他端側で二つの分岐管に分岐しており、一方の分岐管が第１方向制御弁（232）に、他方の分岐管が第２方向制御弁（233）に、それぞれ接続される。
【０１７８】
〈吸引管、供給管〉
第２ポンプ機構（231b）の吸込口には、吸引通路を形成する吸引管（243）の一端が接続される。吸引管（243）は、他端側で二つの分岐管に分岐しており、一方の分岐管が第１方向制御弁（232）に、他方の分岐管が第２方向制御弁（233）に、それぞれ接続される。
【０１７９】
第２ポンプ機構（231b）の吐出口には、供給通路を形成する供給用接続管（244）の一端が接続される。供給用接続管（244）の他端は、供給管（120）に接続される。
【０１８０】
供給用接続管（244）には、その一端から他端へ向かって順に、逆止弁（264）と供給側開閉弁（273）とが設けられる。逆止弁（264）は、供給用接続管（244）の一端から他端へ向かう向きの空気の流通のみを許容し、空気の逆流を防止する。供給側開閉弁（273）は、電磁弁からなる開閉弁である。
【０１８１】
〈方向制御弁〉
第１方向制御弁（232）及び第２方向制御弁（233）のそれぞれは、三つのポートを有する切換弁である。各方向制御弁（232,233）は、第１のポートが第２のポートと連通して第３のポートから遮断される第１状態と、第１のポートが第３のポートと連通して第２のポートから遮断される第２状態とに切り換わるように構成される。
【０１８２】
第１方向制御弁（232）は、第１のポートが第１吸着筒（234）の一端に接続される。また、第１方向制御弁（232）は、第２のポートに吐出管（242）の分岐管が接続され、第３のポートに吸引管（243）の分岐管が接続される。第１方向制御弁（232）は、第１吸着筒（234）を、第１ポンプ機構（231a）に連通する状態と、第２ポンプ機構（231b）に連通する状態とに切り換える。
【０１８３】
第２方向制御弁（233）は、第１のポートが第２吸着筒（235）の一端に接続される。また、第２方向制御弁（233）は、第２のポートに吐出管（242）の分岐管が接続され、第３のポートに吸引管（243）の分岐管が接続される。第２方向制御弁（233）は、第２吸着筒（235）を、第１ポンプ機構（231a）に連通する状態と、第２ポンプ機構（231b）に連通する状態とに切り換える。
【０１８４】
〈吸着筒〉
第１吸着筒（234）及び第２吸着筒（235）のそれぞれは、両端が閉塞された円筒状の容器と、その容器に充填された吸着剤とを備える部材である。
【０１８５】
これら吸着筒（234,235）に充填された吸着剤は、圧力が大気圧よりも高い加圧状態において窒素成分を吸着し、圧力が大気圧よりも低い減圧状態において窒素成分を脱着させる性質を有する。本実施形態では、吸着剤として、例えば、窒素分子の分子径（３．０オングストローム）よりも小さく且つ酸素分子の分子径（２．８オングストローム）よりも大きな孔径の細孔を有する多孔体のゼオライトが用いられる。
【０１８６】
本実施形態の第１組成調節部（40）では、第１吸着筒（234）及び第２吸着筒（235）が第１分離部（41）を構成する。第１分離部（41）を構成する二つの吸着筒（234,235）は、未処理庫外空気を、未処理庫外空気よりも窒素濃度が高くて酸素濃度が低い第１庫外空気と、未処理庫外空気よりも窒素濃度が低くて酸素濃度が高い第２庫外空気に分離する。
【０１８７】
〈酸素排出管〉
酸素排出通路を形成する酸素排出管（245）は、一端側で二つの分岐管に分岐しており、一方の分岐管が第１吸着筒（234）の他端に、他方の分岐管が第２吸着筒（235）にそれぞれ接続される。酸素排出管（245）の各分岐管には、逆止弁（261）が一つずつ設けられる。各逆止弁（261）は、対応する吸着筒（234,235）から流出する向きの空気の流れを許容し、逆向きの空気の流れを遮断する。
【０１８８】
酸素排出管（245）は、ユニットケース（32）を貫通するように設けられる。酸素排出管（245）の他端は、輸送用コンテナ（1）の庫外空間に開口する。酸素排出管（245）の集合部分には、逆止弁（262）とオリフィス（263）とが設けられる。逆止弁（262）は、オリフィス（263）よりも酸素排出管（245）の他端寄りに配置される。この逆止弁（262）は、酸素排出管（245）の他端へ向かう空気の流れを許容し、逆向きの空気の流れを遮断する。
【０１８９】
〈パージ管〉
酸素排出管（245）の各分岐管には、パージ通路を形成するパージ管（250）が接続される。パージ管（250）は、一端が第１吸着筒（234）に接続する分岐管に接続され、他端が第２吸着筒（235）に接続する分岐管に接続される。パージ管（250）の一端は、第１吸着筒（234）と逆止弁（261）の間に接続される。パージ管（250）の他端は、第２吸着筒（235）と逆止弁（261）の間に接続される。
【０１９０】
パージ管（250）には、パージ弁（251）が設けられる。パージ弁（251）は、電磁弁からなる開閉弁である。パージ弁（251）は、第１吸着筒（234）と第２吸着筒（235）を均圧する際に開かれる。また、パージ管（250）におけるパージ弁（251）の両側には、オリフィス（252）が一つずつ設けられる。
【０１９１】
〈排気用接続管〉
供給用接続管（244）には、排気用接続通路を形成する排気用接続管（271）が接続される。排気用接続管（271）は、一端が供給用接続管（244）に接続され、他端が酸素排出管（245）に接続される。排気用接続管（271）の一端は、供給用接続管（244）における第２ポンプ機構（231b）と逆止弁（264）の間に接続される。排気用接続管（271）の他端は、酸素排出管（245）の逆止弁（262）よりも庫外側に接続される。
【０１９２】
排気用接続管（271）には、排気用開閉弁（272）が設けられる。排気用開閉弁（272）は、電磁弁からなる開閉弁である。排気用開閉弁（272）は、供給用接続管（244）を流れる空気を庫外へ排出する際に開かれる。
【０１９３】
〈測定用接続管〉
供給用接続管（244）には、測定用通路を形成する測定用接続管（281）が接続される。この測定用接続管（281）は、第１組成調節部（40）をセンサユニット（90）に接続するための配管である。
【０１９４】
測定用接続管（281）は、一端が供給用接続管（244）に接続され、他端が測定用配管（125）に接続される。測定用接続管（281）の一端は、供給用接続管（244）における逆止弁（264）と供給側開閉弁（273）の間に接続される。測定用接続管（281）の他端は、測定用配管（125）における測定用開閉弁（126）とセンサユニット（90）の間に接続される。
【０１９５】
測定用接続管（281）には、測定用開閉弁（282）が設けられる。測定用開閉弁（282）は、電磁弁からなる開閉弁である。測定用開閉弁（282）は、供給用接続管（244）を流れる空気をセンサユニット（90）へ送る際に開かれる。
【０１９６】
〈バイパス管〉
吐出管（242）には、バイパス通路を形成するバイパス接続管（255）が接続される。バイパス接続管（255）は、一端が吐出管（242）に接続され、他端が測定用接続管（281）に接続される。バイパス接続管（255）の一端は、吐出管（242）の分岐箇所よりも第１ポンプ機構（231a）寄りに接続される。バイパス接続管（255）の他端は、測定用接続管（281）の一端と測定用開閉弁（282）の間に接続される。このバイパス接続管（255）は、第１吸着筒（234）及び第２吸着筒（235）をバイパスさせて庫外空気を輸送用コンテナ（1）の庫内空間へ供給するための第１バイパス通路を形成する。
【０１９７】
バイパス接続管（255）には、バイパス開閉弁（256）が設けられる。バイパス開閉弁（256）は、電磁弁からなる開閉弁である。バイパス開閉弁（256）は、バイパス接続管（255）へ流入する庫外空気の流量を変更するための第１バイパス弁機構を構成する。このバイパス開閉弁（256）は、第１ポンプ機構（231a）が吐出した庫外空気を、その組成を変更せずに荷室（5）へ供給する際に開かれる。
【０１９８】
−第１組成調節部の運転動作−
本実施形態の第１組成調節部（40）の運転動作を説明する。
【０１９９】
本実施形態の第１組成調節部（40）は、後述する第１動作と第２動作を所定の時間（例えば、１４．５秒）ずつ交互に繰り返し行うことによって、未処理庫外空気を第１庫外空気と第２庫外空気に分離する。また、本実施形態の第１組成調節部（40）は、実施形態１の第１組成調節部（40）と同様に、庫内空気調節装置（30）の酸素濃度低減動作と二酸化炭素濃度低減動作のそれぞれにおいて、未処理庫外空気を第１庫外空気と第２庫外空気に分離する動作を行う。
【０２００】
〈第１動作〉
図９に示すように、第１動作では、第１方向制御弁（232）が第１状態に設定され、第２方向制御弁（233）が第２状態に設定される。その結果、第１ポンプ機構（231a）の吐出口が第１吸着筒（234）に接続し、第２吸着筒（235）が第２ポンプ機構（231b）の吸込口に接続する。また、第１動作では、供給側開閉弁（273）が開かれ、残りの開閉弁（251,256,272,282）が閉じられる。そして、第１動作では、第１吸着筒（234）を対象とする吸着動作と、第２吸着筒（235）を対象とする脱離動作とが行われる。
【０２０１】
第１ポンプ機構（231a）は、外気管（241）から未処理庫外空気を吸い込んで加圧し、加圧した未処理庫外空気を第１吸着筒（234）へ供給する。第１吸着筒（234）では、供給された未処理庫外空気に含まれる窒素が吸着剤に吸着される。その結果、第１吸着筒（234）では、未処理庫外空気よりも窒素濃度が低くて酸素濃度が高い第２庫外空気が生成する。第２庫外空気は、第１吸着筒（234）から流出して酸素排出管（245）を流れ、排出用空気として庫外空間へ排出される。
【０２０２】
一方、第２ポンプ機構（231b）は、第２吸着筒（235）から空気を吸引する。第２吸着筒（235）では、その内部の圧力が低下して吸着剤から窒素が脱離する。その結果、第２吸着筒（235）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２０３】
〈第２動作〉
図１０に示すように、第２動作では、第１方向制御弁（232）が第２状態に設定され、第２方向制御弁（233）が第１状態に設定される。その結果、第１ポンプ機構（231a）の吐出口が第２吸着筒（235）に接続し、第１吸着筒（234）が第２ポンプ機構（231b）の吸込口に接続する。また、第２動作では、供給側開閉弁（273）が開かれ、残りの開閉弁（251,256,272,282）が閉じられる。そして、第２動作では、第１吸着筒（234）を対象とする脱離動作と、第２吸着筒（235）を対象とする吸着動作とが行われる。
【０２０４】
第１ポンプ機構（231a）は、外気管（241）から未処理庫外空気を吸い込んで加圧し、加圧した未処理庫外空気を第２吸着筒（235）へ供給する。第２吸着筒（235）では、供給された未処理庫外空気に含まれる窒素が吸着剤に吸着される。その結果、第２吸着筒（235）では、未処理庫外空気よりも窒素濃度が低くて酸素濃度が高い第２庫外空気が生成する。第２庫外空気は、第２吸着筒（235）から流出して酸素排出管（245）を流れ、排出用空気として庫外空間へ排出される。
【０２０５】
一方、第２ポンプ機構（231b）は、第１吸着筒（234）から空気を吸引する。第１吸着筒（234）では、その内部の圧力が低下して吸着剤から窒素が脱離する。その結果、第１吸着筒（234）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０２０６】
−制御器の陽圧維持動作−
本実施形態の制御器（110）は、エアポンプ（231）の回転速度を上昇させる動作を、陽圧維持動作として行う。この点で、本実施形態の制御器（110）は、実施形態１の制御器（110）と異なる。
【０２０７】
具体的に、本実施形態の制御器（110）は、実施形態１の説明において述べた判定条件が成立すると、輸送用コンテナ（1）内の気圧が陰圧となって庫外空気が輸送用コンテナ（1）の内部へ侵入していると判断し、第１組成調節部（40）が輸送用コンテナ（1）の内部へ供給する第１庫外空気の流量を増やすための陽圧維持動作を行う。
【０２０８】
本実施形態の制御器（110）は、エアポンプ（231）を駆動するモータ（231c）の回転速度を上昇させる動作を、陽圧維持動作として行う。モータ（231c）の回転速度が上昇すると、エアポンプ（231）の回転速度が上昇する。そして、エアポンプ（231）の回転速度が上昇すると、第２動作中に輸送用コンテナ（1）の内部へ供給される第１庫外空気（供給用空気）の流量が増加し、その結果、輸送用コンテナ（1）内の気圧が上昇する。
【０２０９】
《その他の実施形態》
上記各実施形態の庫内空気調節装置（30）については、次のような変形例を適用してもよい。なお、以下の変形例は、庫内空気調節装置（30）の機能を損なわない限り、適宜組み合わせたり、置換したりしてもよい。
【０２１０】
−第１変形例−
実施形態１〜３の庫内空気調節装置（30）に設けられた制御器（110）は、陽圧維持動作として、判定条件が成立したときに輸送用コンテナ（1）の外部へ排出される第２庫内空気の流量を減らすために第２調節弁（66）の開度を拡大する動作を行うように構成されていてもよい。また、この制御器（110）は、陽圧維持動作として、換気用排気弁（101）を一時的に閉状態に保つ動作、あるいは換気用排気弁（101）を所定の時間間隔で開閉する動作を行うように構成されていてもよい。本変形例の場合は、輸送用コンテナ（1）の内部から外部へ排出される空気の流量を減少させることによって、輸送用コンテナ（1）内の気圧を上昇させる。
【０２１１】
−第２変形例−
実施形態１，２の庫内空気調節装置（30）において、第１分離モジュール（41）のガス分離膜（85）と第２分離モジュール（61）のガス分離膜（85）とは、それぞれの特性が互いに異なっていてもよい。
【０２１２】
−第３変形例−
実施形態１，２の庫内空気調節装置（30）において、第１バイパス弁（50）は、第１分離モジュール（41）へ流入する未処理庫外空気の流量と、第１バイパス管（51）へ流入する未処理庫外空気の流量の割合を、多段階に又は連続的に変更できるように構成されていてもよい。また、第２バイパス弁（70）は、第２分離モジュール（61）へ流入する未処理庫内空気の流量と、第２バイパス管（71）へ流入する未処理庫内空気の流量の割合を、多段階に又は連続的に変更できるように構成されていてもよい。
【０２１３】
−第４変形例−
実施形態１，２の庫内空気調節装置（30）では、第１ポンプ（36）と第２ポンプ（37）のそれぞれに駆動モータが連結されていてもよい。この変形例では、第１ポンプ（36）と第２ポンプ（37）の一方を作動させて他方を休止させることが可能となる。
【０２１４】
−第５変形例−
実施形態１，２の庫内空気調節装置（30）において、第１組成調節部（40）と第２組成調節部（60）のそれぞれは、いわゆるＰＳＡ（Pressure Swing Adsorption）法によって、吸い込んだ空気を互いに組成が異なる二種類の空気に分離するように構成されていてもよい。この場合、組成調節部（40,60）は、吸い込んだ空気に含まれる窒素を吸着剤に吸着させることによって、窒素濃度が低くて酸素濃度および二酸化炭素濃度が高い空気を生成する工程と、吸着剤から窒素を脱離させて窒素濃度が高くて酸素濃度及び二酸化炭素濃度が低い空気を生成する工程とを繰り返し行う。
【０２１５】
−第６変形例−
実施形態１〜３の庫内空気調節装置（30）は、定置型の冷蔵庫または冷凍庫に設けられてもよい。また、上記各実施形態の庫内空気調節装置（30）は、トラックや鉄道などで輸送される陸上輸送用の冷蔵・冷凍コンテナに設けられていてもよい。また、上記各実施形態の庫内空気調節装置（30）は、荷室を形成する箱体が車台と一体になった冷蔵・冷凍トラックに設けられていてもよい。
【０２１６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０２１７】
以上説明したように、本発明は、収納庫の庫内空気の組成を調節する庫内空気調節装置について有用である。
【符号の説明】
【０２１８】
1    輸送用コンテナ（収納庫）
30    庫内空気調節装置
36    第１ポンプ
37    第２ポンプ
40    第１組成調節部
41    第１分離モジュール（第１分離部）
46    第１調節弁（第１弁機構）
50    第１バイパス弁（第１バイパス弁機構）
51    第１バイパス管（第１バイパス通路）
60    第２組成調節部
61    第２分離モジュール（第２分離部）
66    第２調節弁（第２弁機構）
70    第２バイパス弁（第２バイパス弁機構）
71    第２バイパス管（第２バイパス通路）
91    酸素センサ
100    換気用排気管（換気用排気通路）
101    換気用排気弁
110    制御器
255    バイパス接続管（第１バイパス通路）
256    バイパス開閉弁（第１バイパス弁機構）
【図１】
2020074756.tif 000003
【図２】
2020074756.tif 000004
【図３】
2020074756.tif 000005
【図４】
2020074756.tif 000006
【図５】
2020074756.tif 000007
【図６】
2020074756.tif 000008
【図７】
2020074756.tif 000009
【図８】
2020074756.tif 000010
【図９】
2020074756.tif 000011
【図１０】
2020074756.tif 000012
【手続補正書】
【提出日】令和2年2月10日(2020.2.10)
【手続補正１】
【補正対象書類名】明細書
【補正対象項目名】全文
【補正方法】変更
【補正の内容】
【発明の詳細な説明】
【技術分野】
【０００１】
本発明は、収納庫の庫内空気の組成を調節する庫内空気調節装置に関するものである。
【背景技術】
【０００２】
農産物等の鮮度低下の抑制を目的として、農産物等を収容する倉庫や輸送用コンテナの庫内空気の組成（例えば、庫内空気の酸素濃度や二酸化炭素濃度）を調節する庫内空気調節装置が知られている。
【０００３】
特許文献１には、庫内空気の組成を調節する装置を持ったコンテナが開示されている。この特許文献１の装置は、二酸化炭素の透過性が酸素の透過性よりも高いガス分離膜を用いて、庫内空気の組成を調節する。具体的に、この装置は、ガス分離膜の一方の表面に庫内空気を接触させ、ガス分離膜の他方の表面に二酸化炭素を殆ど含まない外気を接触させることによって、農産物等の呼吸によって生じた二酸化炭素をコンテナの外部へ排出する（特許文献１の明細書２０ページ１４行〜２１ページ２行を参照）。また、この装置は、庫内の酸素濃度が低下すると、コンテナの庫内と庫外を連通させる通路を開き、この通路を通じて外気を庫内へ流入させる（特許文献１の明細書２０ページ５〜１２行を参照）。
【先行技術文献】
【特許文献】
【０００４】
【特許文献１】国際公開第２００７／０３３６６８号
【発明の概要】
【発明が解決しようとする課題】
【０００５】
ここで、コンテナに収容される農産物等の貨物の種類によって、その貯蔵に適した庫内空気の組成は様々である。一方、上述したように、特許文献１の装置は、庫内空気に含まれる二酸化炭素を庫外へ排出し、コンテナの庫内と庫外を連通させる通路を通じて庫内へ外気を導入する。つまり、特許文献１の装置は、大気と同じ組成の空気（即ち、外気）を庫内へ供給する。このため、庫内空気の組成を、コンテナに収容される農産物等の貨物の貯蔵に適した組成に調節するのが困難な場合があった。
【０００６】
本発明は、かかる点に鑑みてなされたものであり、その目的は、収納庫の庫内空気の組成を適切に制御できる庫内空気調節装置を提供することにある。
【課題を解決するための手段】
【０００７】
第１の発明は、収納庫（1）の内部の庫内空気の組成を調節する庫内空気調節装置を対象とする。そして、上記収納庫（1）の外部の庫外空気から該庫外空気とは組成が異なる供給用空気を分離する第１分離部（41）を有し、上記供給用空気を上記収納庫（1）の内部へ供給する第１組成調節部（40）を備え、上記第１組成調節部（40）の上記第１分離部（41）が、上記収納庫（1）の外部の庫外空気から該庫外空気よりも酸素濃度が低い上記供給用空気を分離することによって、上記収納庫（1）の庫内空気の酸素濃度を低下させる一方、上記収納庫（1）の庫内空気の酸素濃度を計測する酸素センサ（91）と、上記第１組成調節部（40）が上記供給用空気を上記収納庫（1）の内部へ供給しているときにおける上記酸素センサ（91）の計測値の変化に基づいて、上記収納庫（1）内の気圧が陽圧か否かを判断する制御器（110）とを更に備えるものである。
【０００８】
第１の発明の庫内空気調節装置（30）は、第１組成調節部（40）が庫外空気とは組成が異なる供給用空気を収納庫（1）の内部へ供給することによって、収納庫（1）内の空気の組成を調節する。第１組成調節部（40）では、庫外空気よりも酸素の濃度が低い供給用空気が庫外空気から分離され、この供給用空気が収納庫（1）の内部へ供給される。その結果、収納庫（1）の内部に存在する酸素の量が減少し、庫内空気の酸素の濃度が低下する。
【０００９】
ここで、収納庫（1）内の気圧が陽圧であれば、収納庫（1）の隙間を通って庫外空気が収納庫（1）の内部へ侵入することは無く、第１組成調節部（40）が供給用空気を上記収納庫（1）の内部へ供給しているときには、庫内空気の酸素濃度が次第に低下する。一方、収納庫（1）内の気圧が陰圧であれば、収納庫（1）の隙間を通って庫外空気が収納庫（1）の内部へ侵入するため、第１組成調節部（40）が供給用空気を上記収納庫（1）の内部へ供給しているときであっても、庫内の酸素濃度が僅かしか低下せず、あるいは庫内の酸素濃度が上昇する。
【００１０】
そこで、第２の発明の制御器（110）は、第１組成調節部（40）が供給用空気を上記収納庫（1）の内部へ供給しているときにおける酸素センサ（91）の計測値の変化に基づいて、収納庫（1）内の気圧が陽圧か否かを判断する。
【００１１】
第２の発明は、上記第１の発明において、上記制御器（110）は、上記収納庫（1）内の気圧が陽圧でないと判断すると上記第１組成調節部（40）が上記収納庫（1）の内部へ供給する供給用空気の流量を増やすための制御動作を行うものである。
【００１２】
第２の発明の制御器（110）は、収納庫（1）内の気圧が陽圧でないと判断すると、第１組成調節部（40）が収納庫（1）の内部へ供給する供給用空気の流量を増やすための制御動作を行う。そして、供給用空気の流量が増加して排出用空気の流量を上回ると、収納庫（1）内の気圧が上昇して陽圧となる。
【００１３】
空気は、気圧の高い所から気圧の低いところへ向かって流れる。従って、収納庫（1）の気密性が低い場合でも、収納庫（1）の内部の気圧が陽圧に保たれていれば、収納庫（1）の隙間から庫外空気が収納庫（1）の内部へ侵入することはない。
【００１４】
第３の発明は、第１又は第２の発明において、上記第１分離部（41）は、上記収納庫（1）の外部から導入された庫外空気である未処理庫外空気を、該未処理庫外空気よりも窒素濃度が高くて酸素濃度が低い第１庫外空気と、上記未処理庫外空気よりも窒素濃度が低くて酸素濃度が高い第２庫外空気に分離するように構成され、上記第１組成調節部（40）は、上記第１庫外空気を上記供給用空気として上記収納庫（1）の内部へ供給し、上記第２庫外空気を上記収納庫（1）の外部へ排出するものである。
【００１５】
第３の発明において、第１分離部（41）は、未処理庫外空気を、未処理庫外空気に比べて窒素濃度が高くて酸素濃度が低い第１庫外空気と、未処理庫外空気に比べて窒素濃度が低くて酸素濃度が高い第２庫外空気に分離する。第１組成調節部（40）は、互いに組成が異なる第１庫外空気を供給用空気として収納庫（1）の内部へ供給し、第２庫外空気を収納庫（1）の外部へ排出する。
【００１６】
第４の発明は、上記第３の発明において、上記第１分離部（41）は、窒素の透過率が酸素の透過率と二酸化炭素の透過率の両方よりも低いガス分離膜（85）を有し、上記未処理庫外空気を上記ガス分離膜（85）と接触させ、上記ガス分離膜（85）を透過しなかった空気を上記第１庫外空気とし、上記ガス分離膜（85）を透過した空気を上記第２庫外空気とするように構成されるものである。
【００１７】
第４の発明では、第１分離部（41）にガス分離膜（85）が設けられる。第１分離部（41）において、ガス分離膜（85）を透過しなかった第１庫外空気は、未処理庫外空気に比べて窒素濃度が高くて酸素濃度が低くなり、ガス分離膜（85）を透過した第２庫外空気は、未処理庫外空気に比べて窒素濃度が低くて酸素濃度が高くなる。
【００１８】
第５の発明は、上記第４の発明において、上記第１組成調節部（40）は、上記未処理庫外空気を加圧して上記第１分離部（41）へ供給する第１ポンプ（36）を備えるものである。
【００１９】
第５の発明の第１組成調節部（40）では、第１ポンプ（36）によって加圧された未処理庫外空気が、第１分離部（41）へ供給されて第１庫外空気と第２庫外空気に分離される。
【００２０】
第６の発明は、上記第５の発明において、上記第１組成調節部（40）は、上記第１庫外空気の流れる配管に設けられた開度可変の第１弁機構（46）を備えるものである。
【００２１】
第６の発明の第１組成調節部（40）では、第１庫外空気の流れる配管に第１弁機構（46）が設けられる。第１弁機構（46）の開度を変更すると、第１弁機構（46）の上流側における第１庫外空気の圧力が変化する。第１庫外空気は、第１分離部（41）のガス分離膜（85）を透過しなかった空気である。このため、第１弁機構（46）の上流側における第１庫外空気の圧力が変化すると、それに伴って第１加圧ポンプが第１分離部（41）へ供給する未処理庫外空気の圧力も変化する。一般に、ガス分離膜（85）へ供給される空気の圧力が変化すると、空気の各成分の透過率が変化する。このため、第１弁機構（46）の開度を変更すると、第１分離部（41）へ供給される未処理庫外空気の圧力が変化し、第１庫外空気と第２庫外空気の組成（例えば、窒素濃度と酸素濃度）と流量とが変化する。
【００２２】
第７の発明は、上記第３の発明において、上記第１分離部（41）は、窒素を吸着する吸着剤が設けられた吸着部（234,235）を有し、上記吸着部（234,235）に供給された上記未処理庫外空気に含まれる窒素を上記吸着部（234,235）の上記吸着剤に吸着させることによって上記第２庫外空気を生成する吸着動作と、上記吸着部（234,235）の上記吸着剤から窒素を脱離させることによって上記第１庫外空気を生成する脱離動作とを行うように構成されるものである。
【００２３】
第７の発明では、第１分離部（41）に吸着部（234,235）が設けられる。この発明の第１分離部（41）は、吸着動作と脱離動作とを行う。吸着動作において、吸着部（234,235）に供給された未処理庫外空気は、吸着剤に窒素を奪われて第２庫外空気となる。第２庫外空気は、未処理庫外空気に比べて窒素濃度が低くて酸素濃度が高い。一方、脱離動作において、吸着部（234,235）では、吸着動作中に吸着剤に吸着された窒素が、吸着剤から脱離する。その結果、吸着部（234,235）では、処理庫外空気に比べて窒素濃度が高くて酸素濃度が低い第１庫外空気が生成する。
【００２４】
第８の発明は、第１〜第７のいずれか一つの発明において、上記第１組成調節部（40）は、上記収納庫（1）の外部の上記庫外空気を、上記第１分離部（41）をバイパスさせて上記収納庫（1）の内部へ供給するための第１バイパス通路（51,255）と、上記第１バイパス通路（51,255）へ流入する上記庫外空気の流量を変更するための第１バイパス弁機構（50,256）とを備えるものである。
【００２５】
第８の発明では、第１バイパス弁機構（50,256）を操作して庫外空気が第１バイパス通路（51,255）を流れる状態にすれば、収納庫（1）の外部から第１組成調節部（40）へ流入した庫外空気の一部または全部が、そのままの状態（即ち、組成を保った状態）で収納庫（1）の内部へ供給される。
【発明の効果】
【００２６】
本発明によれば、第１組成調節部（40）が供給用空気を収納庫（1）の内部へ供給しているときにおける酸素センサ（91）の計測値の変化に基づいて、収納庫（1）内の気圧が陽圧か否かを判断できる。
【００２７】
上記第２の発明において、制御器（110）は、収納庫（1）内の気圧が陽圧でないと判断すると、第１組成調節部（40）が収納庫（1）の内部へ供給する供給用空気の流量を増やすための制御動作を行う。従って、この発明によれば、収納庫（1）内の気圧を一層確実に陽圧とすることができる。
【００２８】
上記第４の発明では、第１組成調節部（40）は、それぞれの窒素濃度と酸素濃度が未処理庫外空気と異なる第１庫外空気と第２庫外空気の一方を収納室の内部へ供給して、他方を収納室の外部へ排出する。従って、この発明によれば、収納庫（1）の庫内空気の窒素濃度と酸素濃度と二酸化炭素濃度とを調節することが可能となる。
【００２９】
上記第６の発明では、第１ポンプ（36）が加圧した未処理庫外空気を第１分離部（41）へ供給すると共に、第１弁機構（46）の開度を調節することによって、第１庫外空気と第２庫外空気の組成（例えば、窒素濃度と酸素濃度）と流量とを制御できる。従って、この発明によれば、第１組成調節部（40）が収納庫（1）の内部へ供給する空気の組成と流量とを調節することによって、収納庫（1）の内部の空気の組成を一層適切に制御することが可能となる。
【００３０】
上記第７の発明では、第１組成調節部（40）は、それぞれの窒素濃度と酸素濃度が未処理庫外空気と異なる第１庫外空気と第２庫外空気の一方を収納室の内部へ供給して、他方を収納室の外部へ排出する。従って、この発明によれば、収納庫（1）の庫内空気の窒素濃度と酸素濃度と二酸化炭素濃度とを調節することが可能となる。
【図面の簡単な説明】
【００３１】
【図１】図１は、実施形態１の庫内空気調節装置を備えた輸送用コンテナの概略断面図である。
【図２】図２は、輸送用コンテナに設けられたコンテナ用冷凍機の冷媒回路の構成を示す冷媒回路図である。
【図３】図３は、実施形態１の庫内空気調節装置の構成を示す配管系統図である。
【図４】図４は、実施形態１の庫内空気調節装置に設けられた分離モジュールの概略断面図である。
【図５】図５は、実施形態１の庫内空気調節装置が行う酸素濃度低減動作を示すブロック図である。
【図６】図６は、実施形態１の庫内空気調節装置が行う二酸化炭素濃度低減動作を示すブロック図である。
【図７】図７は、実施形態２の庫内空気調節装置の構成を示す配管系統図である。
【図８】図８は、実施形態３の庫内空気調節装置の構成を示す配管系統図である。
【図９】図９は、実施形態３の第１組成調節部の第１動作中の状態を示す庫内空気調節装置の配管系統図である。
【図１０】図１０は、実施形態３の第１組成調節部の第２動作中の状態を示す庫内空気調節装置の配管系統図である。
【発明を実施するための形態】
【００３２】
本発明の実施形態を図面に基づいて詳細に説明する。
【００３３】
《実施形態１》
実施形態１について説明する。本実施形態の庫内空気調節装置（30）は、いわゆるＣＡ（Controlled Atmosphere）輸送を行うために輸送用コンテナ（1）に設けられる。そして、庫内空気調節装置（30）は、輸送用コンテナ（1）内の空気の組成を、大気の組成と異なるように調節する。
【００３４】
図１に示すように、収納庫を構成する輸送用コンテナ（1）は、コンテナ本体（2）と、コンテナ用冷凍機（10）とを備えている。この輸送用コンテナ（1）は、庫内の温度管理か可能なリーファーコンテナ（reefer container）である。本実施形態の庫内空気調節装置（30）は、コンテナ用冷凍機（10）に設置される。この輸送用コンテナ（1）は、空気中の酸素（Ｏ２）を取り込んで二酸化炭素（ＣＯ２）を放出する呼吸を行う植物を輸送するために用いられる。植物の例としては、バナナやアボカド等の果物、野菜、穀物、球根、生花等が挙げられる。
【００３５】
コンテナ本体（2）は、細長い直方体形状の箱状に形成されている。コンテナ本体（2）は、一方の端面が開口し、この開口端を塞ぐようにコンテナ用冷凍機（10）が取り付けられる。コンテナ本体（2）の内部空間は、貨物（6）を収納するための荷室（5）を構成する。
【００３６】
荷室（5）の底部には、貨物（6）を載せるための床板（3）が配置される。この床板（3）とコンテナ本体（2）の底板との間には、コンテナ用冷凍機（10）が吹き出した空気を流すための床下流路（4）が形成される。床下流路（4）は、コンテナ本体（2）の底板に沿ってコンテナ本体（2）の長手方向へ延びる流路である。床下流路（4）は、一端がコンテナ用冷凍機（10）の吹出口（27）に接続し、他端が床板（3）の上側の空間（即ち、貨物（6）が収容される空間）と連通する。
【００３７】
−コンテナ用冷凍機−
図１に示すように、コンテナ用冷凍機（10）は、ケーシング（20）と、冷凍サイクルを行う冷媒回路（11）と、庫外ファン（16）と、庫内ファン（17）とを備えている。
【００３８】
ケーシング（20）は、庫外壁部（21）と、庫内壁部（22）と、背面板（24）と、区画板（25）とを備えている。後述するように、このケーシング（20）には、冷媒回路（11）と、庫外ファン（16）と、庫内ファン（17）とが設けられる。
【００３９】
庫外壁部（21）は、コンテナ本体（2）の開口端を覆うように配置される板状の部材である。庫外壁部（21）は、下部がコンテナ本体（2）の内側へ膨出している。庫内壁部（22）は、庫外壁部（21）に沿った形態の板状の部材である。庫内壁部（22）は、庫外壁部（21）におけるコンテナ本体（2）の内側の面を覆うように配置される。庫外壁部（21）と庫内壁部（22）の間の空間には、断熱材（23）が充填されている。
【００４０】
ケーシング（20）は、その下部がコンテナ本体（2）の内側へ窪んだ形状となっている。ケーシング（20）の下部は、輸送用コンテナ（1）の外部空間と連通する庫外機器室（28）を形成する。この庫外機器室（28）には、庫外ファン（16）が配置される。
【００４１】
背面板（24）は、概ね矩形の平板状の部材である。背面板（24）は、庫内壁部（22）よりもコンテナ本体（2）の内側に配置され、庫内壁部（22）との間に庫内空気流路（29）を形成する。この庫内空気流路（29）は、その上端がケーシング（20）の吸込口（26）を構成し、その下端がケーシング（20）の吹出口（27）を構成する。
【００４２】
区画板（25）は、庫内空気流路（29）を上下に区画するように配置された板状の部材である。区画板（25）は、庫内空気流路（29）の上部に配置される。この区画板（25）によって、庫内空気流路（29）は、区画板（25）の上側の一次流路（29a）と、区画板（25）の下側の二次流路（29b）に区画される。一次流路（29a）は、吸込口（26）を介して荷室（5）と連通する。二次流路（29b）は、吹出口（27）を介して床下流路（4）と連通する。区画板（25）には、庫内ファン（17）が取り付けられる。庫内ファン（17）は、一次流路（29a）から吸い込んだ空気を二次流路（29b）へ吹き出すように配置される。
【００４３】
図２に示すように、冷媒回路（11）は、圧縮機（12）と、凝縮器（13）と、膨張弁（14）と、蒸発器（15）とを配管で接続することによって形成された閉回路である。圧縮機（12）を作動させると、冷媒回路（11）を冷媒が循環し、蒸気圧縮冷凍サイクルが行われる。図１に示すように、凝縮器（13）は、庫外機器室（28）における庫外ファン（16）の吸込側に配置され、蒸発器（15）は、庫内空気流路（29）の二次流路（29b）に配置される。また、図１では図示を省略するが、圧縮機（12）は、庫外機器室（28）に配置される。
【００４４】
−庫内空気調節装置−
図１に示すように、庫内空気調節装置（30）は、本体ユニット（31）と、センサユニット（90）と、換気用排気管（100）と、制御器（110）とを備えている。本体ユニット（31）は、コンテナ用冷凍機（10）の庫外機器室（28）に設置される。センサユニット（90）は、輸送用コンテナ（1）の庫内空気流路（29）に設置される。換気用排気管（100）は、輸送用コンテナ（1）の庫内空気流路（29）と庫外機器室（28）に亘って設置される。制御器（110）は、本体ユニット（31）に設けられて、庫内空気調節装置（30）の構成機器を制御する。センサユニット（90）、換気用排気管（100）、及び制御器（110）の詳細は、後述する。
【００４５】
図３に示すように、庫内空気調節装置（30）の本体ユニット（31）は、第１組成調節部（40）と、第２組成調節部（60）と、ポンプユニット（35）と、ユニットケース（32）とを備えている。ユニットケース（32）は、箱状の密閉容器である。第１組成調節部（40）と、第２組成調節部（60）と、ポンプユニット（35）とは、このユニットケース（32）の内部空間に配置される。第１組成調節部（40）、第２組成調節部（60）、及びポンプユニット（35）の詳細は、後述する。
【００４６】
また、庫内空気調節装置（30）は、供給管（120）と、庫内側吸入管（75）と、測定用配管（125）とを備えている。供給管（120）、庫内側吸入管（75）、及び測定用配管（125）は、本体ユニット（31）をコンテナ用冷凍機（10）の庫内空気流路（29）に接続するための配管である。
【００４７】
供給管（120）は、第１組成調節部（40）及び第２組成調節部（60）から流出した空気を荷室（5）へ供給するための配管である。供給管（120）は、入口端が第１組成調節部（40）及び第２組成調節部（60）に接続され、出口端が庫内空気流路（29）の二次流路（29b）に開口する。
【００４８】
庫内側吸入管（75）は、荷室（5）内の庫内空気を第２組成調節部（60）へ供給するための配管である。庫内側吸入管（75）は、入口端が庫内空気流路（29）の二次流路（29b）に開口し、出口端が後述する第２組成調節部（60）の第２ポンプ（37）に接続される。なお、庫内空気流路（29）の二次流路（29b）において、庫内側吸入管（75）の入口端は、供給管（120）の出口端の上流側に配置される。
【００４９】
測定用配管（125）は、供給管（120）を流れる空気をセンサユニット（90）へ供給するための配管である。測定用配管（125）は、入口端が供給管（120）に接続され、出口端がセンサユニット（90）に接続される。また、測定用配管（125）には、電磁弁からなる測定用開閉弁（126）が設けられる。この測定用開閉弁（126）は、本体ユニット（31）のユニットケース（32）に収容される。
【００５０】
なお、換気用排気管（100）と、供給管（120）と、庫内側吸入管（75）と、測定用配管（125）と、後述する各組成調節部（40,60）に設けられた配管（52〜55,71〜74,95）とは、硬質のパイプで構成されていてもよいし、柔軟なホースで構成されていてもよいし、パイプとホースを組み合わせることで構成されていてもよい。
【００５１】
〈ポンプユニット〉
図３に示すように、ポンプユニット（35）は、第１ポンプ（36）と、第２ポンプ（37）と、駆動モータ（38）とを備えている。
【００５２】
第１ポンプ（36）と第２ポンプ（37）のそれぞれは、吸い込んだ空気を吐出する空気ポンプである。第１ポンプ（36）と第２ポンプ（37）のそれぞれは、例えば容積型の流体機械によって構成される。第１ポンプ（36）と第２ポンプ（37）は、一体化されている。駆動モータ（38）は、第１ポンプ（36）及び第２ポンプ（37）に連結された電動機である。駆動モータ（38）は、第１ポンプ（36）と第２ポンプ（37）の両方を駆動する。
【００５３】
〈第１組成調節部〉
第１組成調節部（40）は、輸送用コンテナ（1）の外部から吸い込んだ庫外空気（未処理庫外空気）を第１庫外空気と第２庫外空気に分離するように構成される。本実施形態の第１組成調節部（40）は、供給用空気である第１庫外空気を荷室（5）へ供給し、第２庫外空気を輸送用コンテナ（1）の外部へ排出する。
【００５４】
第１組成調節部（40）は、エアフィルタ（47）と、第１分離モジュール（41）と、第１バイパス弁（50）と、第１圧力センサ（45）と第１調節弁（46）とを備えている。また、第１組成調節部（40）は、庫外側吸入管（55）と、第１導入管（52）と、第１一次側管（53）と、第１二次側管（54）と、第１バイパス管（51）とを備えている。また、ポンプユニット（35）の第１ポンプ（36）は、この第１組成調節部（40）を構成する。
【００５５】
エアフィルタ（47）は、庫外空気に含まれる塵埃や塩分などを捕捉するためのメンブレンフィルタである。エアフィルタ（47）は、本体ユニット（31）のユニットケース（32）に取り付けられる。エアフィルタ（47）は、庫外側吸入管（55）を介して第１ポンプ（36）の吸入口に接続する。なお、本実施形態の庫内空気調節装置（30）では、庫外側吸入管（55）を省略し、密閉容器であるユニットケース（32）の内部空間を介してエアフィルタ（47）と第１ポンプ（36）を連通させてもよい。
【００５６】
詳しくは後述するが、第１分離モジュール（41）は、第１導入口（42）と、第１一次側導出口（43）と、第１二次側導出口（44）とを備える。第１導入口（42）は、第１導入管（52）を介して第１ポンプ（36）の吐出口に接続する。第１一次側導出口（43）は、第１一次側管（53）を介して供給管（120）に接続する。第１二次側導出口（44）には、第１二次側管（54）の一端が接続する。第１二次側管（54）は、ユニットケース（32）の外部へ延びている。第１二次側管（54）の他端は、庫外機器室（28）における庫外ファン（16）の吸込側に開口する。
【００５７】
第１バイパス弁（50）は、三つのポートを有する切換弁であって、第１バイパス弁機構を構成する。第１バイパス弁（50）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００５８】
第１バイパス弁（50）は、第１導入管（52）の途中に配置される。第１バイパス弁（50）は、第１のポートが第１ポンプ（36）の吐出口に接続し、第２のポートが第１分離モジュール（41）の第１導入口（42）に接続する。第１バイパス弁（50）の第３のポートには、第１バイパス管（51）の入口端が接続する。第１バイパス管（51）の出口端は、第１一次側管（53）に接続する。第１バイパス管（51）は、第１バイパス通路を構成する。
【００５９】
第１圧力センサ（45）と第１調節弁（46）とは、第１一次側管（53）に設けられる。第１圧力センサ（45）と第１調節弁（46）とは、第１一次側管（53）に接続する第１バイパス管（51）の他端よりも第１分離モジュール（41）寄りに配置される。また、第１圧力センサ（45）は、第１調節弁（46）よりも第１分離モジュール（41）寄りに配置される。
【００６０】
第１圧力センサ（45）は、第１分離モジュール（41）の第１一次側導出口（43）から流出した第１庫外空気の圧力を計測する。第１圧力センサ（45）の計測値は、第１ポンプ（36）が第１分離モジュール（41）へ供給する未処理庫外空気の圧力と実質的に等しい。
【００６１】
第１調節弁（46）は、開度可変の電動弁であって、第１弁機構を構成する。第１調節弁（46）の開度を変更すると、第１ポンプ（36）が第１分離モジュール（41）へ供給する未処理庫外空気の圧力が変化する。
【００６２】
第１分離モジュール（41）は、第１分離部を構成する。詳しくは後述するが、第１分離モジュール（41）は、ガス分離膜（85）を備えている。そして、第１分離モジュール（41）は、未処理庫外空気を、ガス分離膜（85）を透過しなかった第１庫外空気と、ガス分離膜（85）を透過した第２庫外空気に分離する。
【００６３】
第１庫外空気は、窒素濃度が未処理庫外空気よりも高く、酸素濃度が未処理庫外空気よりも低い。第２庫外空気は、窒素濃度が未処理庫外空気よりも低く、酸素濃度が未処理庫外空気よりも高い。このように、第１庫外空気と第２庫外空気は、それぞれを構成する物質の濃度が互いに異なる。なお、本明細書における濃度は、体積割合を意味する。
【００６４】
〈第２組成調節部〉
第２組成調節部（60）は、輸送用コンテナ（1）の内部空間から吸い込んだ庫内空気（未処理庫内空気）を第１庫内空気と第２庫内空気に分離するように構成される。本実施形態の第２組成調節部（60）は、第１庫内空気を荷室（5）へ供給し、排出用空気である第２庫内空気を輸送用コンテナ（1）の外部へ排出する。
【００６５】
第２組成調節部（60）は、第２分離モジュール（61）と、第２バイパス弁（70）と、第２圧力センサ（65）と第２調節弁（66）とを備えている。また、第２組成調節部（60）は、第２導入管（72）と、第２一次側管（73）と、第２二次側管（74）と、第２バイパス管（71）とを備えている。また、ポンプユニット（35）の第２ポンプ（37）は、この第２組成調節部（60）を構成する。
【００６６】
詳しくは後述するが、第２分離モジュール（61）は、第２導入口（62）と、第２一次側導出口（63）と、第２二次側導出口（64）とを備える。第２導入口（62）は、第２導入管（72）を介して第２ポンプ（37）の吐出口に接続する。第２一次側導出口（63）は、第２一次側管（73）を介して供給管（120）に接続する。第２二次側導出口（64）には、第２二次側管（74）の一端が接続する。第２二次側管（74）は、ユニットケース（32）の外部へ延びている。第２二次側管（74）の他端は、庫外機器室（28）における庫外ファン（16）の吸込側に開口する。また、第２ポンプ（37）の吸入口には、庫内側吸入管（75）が接続する。
【００６７】
第２バイパス弁（70）は、三つのポートを有する切換弁であって、第２バイパス弁機構を構成する。第２バイパス弁（70）は、第１のポートが第２のポートと連通して第３のポートから遮断される第１状態（図３に実線で示す状態）と、第１のポートが第３のポートと連通して第２のポートから遮断される第２状態（図３に破線で示す状態）とに切り換わるように構成される。
【００６８】
第２バイパス弁（70）は、第２導入管（72）の途中に配置される。第２バイパス弁（70）は、第１のポートが第２ポンプ（37）の吐出口に接続し、第２のポートが第２分離モジュール（61）の第２導入口（62）に接続する。第２バイパス弁（70）の第３のポートには、第２バイパス管（71）の入口端が接続する。第２バイパス管（71）の出口端は、第２一次側管（73）に接続する。第２バイパス管（71）は、第２バイパス通路を構成する。
【００６９】
第２圧力センサ（65）と第２調節弁（66）とは、第２一次側管（73）に設けられる。第２圧力センサ（65）と第２調節弁（66）とは、第２一次側管（73）に接続する第２バイパス管（71）の他端よりも第２分離モジュール（61）寄りに配置される。また、第２圧力センサ（65）は、第２調節弁（66）よりも第２分離モジュール（61）寄りに配置される。
【００７０】
第２圧力センサ（65）は、第２分離モジュール（61）の第２一次側導出口（63）から流出した第２庫内空気の圧力を計測する。第２圧力センサ（65）の計測値は、第２ポンプ（37）が第２分離モジュール（61）へ供給する未処理庫内空気の圧力と実質的に等しい。
【００７１】
第２調節弁（66）は、開度可変の電動弁であって、第２弁機構を構成する。第２調節弁（66）の開度を変更すると、第２ポンプ（37）が第２分離モジュール（61）へ供給する未処理庫内空気の圧力が変化する。
【００７２】
第２分離モジュール（61）は、第２分離部を構成する。詳しくは後述するが、第２分離モジュール（61）は、ガス分離膜（85）を備えている。そして、第２分離モジュール（61）は、未処理庫内空気を、ガス分離膜（85）を透過しなかった第１庫内空気と、ガス分離膜（85）を透過した第２庫内空気に分離する。
【００７３】
第１庫内空気は、窒素濃度が未処理庫内空気よりも高く、酸素濃度および二酸化炭素濃度が未処理庫内空気よりも低い。第２庫内空気は、窒素濃度が未処理庫内空気よりも低く、酸素濃度および二酸化炭素濃度が未処理庫内空気よりも高い。このように、第１庫内空気と第２庫内空気は、それぞれを構成する物質の濃度が互いに異なる。
【００７４】
〈分離モジュール〉
第１分離モジュール（41）及び第２分離モジュール（61）の構造について、図４を参照しながら説明する。第１分離モジュール（41）と第２分離モジュール（61）の構造は、互いに同じである。
【００７５】
各分離モジュール（41,61）は、一つの筒状ケース（80）と、二つの隔壁部（81a,81b）とを備えている。筒状ケース（80）は、両端が閉塞された細長い円筒状の容器である。隔壁部（81a,81b）は、筒状ケース（80）の内部空間を仕切るための部材であって、筒状ケース（80）の内部空間を横断するように設けられる。隔壁部（81a,81b）は、筒状ケース（80）の内部空間の一端寄りの位置と他端寄りの位置とに一つずつ配置される。図４において、筒状ケース（80）の内部空間は、左側の隔壁部（81a）の左側に位置する導入室（82）と、二つの隔壁部（81a,81b）の間に位置する二次側導出室（84）と、右側の隔壁部（81b）の右側に位置する一次側導出室（83）とに仕切られる。
【００７６】
各分離モジュール（41,61）は、中空糸状（即ち、外径が１ｍｍ以下の非常に細い管状）に形成されたガス分離膜（85）を多数備えている。中空糸状のガス分離膜（85）は、一方の隔壁部（81a）から他方の隔壁部（81b）に亘って設けられる。各ガス分離膜（85）は、一端部が一方の隔壁部（81a）を貫通して導入室（82）に開口し、他端部が他方の隔壁部（81b）を貫通して一次側導出室（83）に開口する。筒状ケース（80）の内部空間は、二つの隔壁部（81a,81b）に挟まれた空間のうちガス分離膜（85）の外側の部分が、二次側導出室（84）を構成する。各分離モジュール（41,61）において、導入室（82）と一次側導出室（83）は、中空糸状のガス分離膜（85）を介して連通する一方、二次側導出室（84）は、ガス分離膜（85）の内側の空間、導入室（82）、及び一次側導出室（83）と非連通となる。
【００７７】
筒状ケース（80）には、導入口（42,62）と、一次側導出口（43,63）と、二次側導出口（44,64）とが設けられる。導入口（42,62）は、図４における筒状ケース（80）の左端部に配置され、導入室（82）と連通する。一次側導出口（43,63）は、図４における筒状ケース（80）の右端部に配置され、一次側導出室（83）と連通する。二次側導出口（44,64）は、筒状ケース（80）の長手方向の中間部に配置され、二次側導出室（84）と連通する。
【００７８】
ガス分離膜（85）は、高分子からなる非多孔膜である。このガス分離膜（85）は、物質毎に分子がガス分離膜（85）を透過する速度（透過速度）が異なることを利用して、混合ガスに含まれる成分を分離する。
【００７９】
本実施形態の庫内空気調節装置（30）では、第１分離モジュール（41）と第２分離モジュール（61）のそれぞれに同じガス分離膜（85）が設けられる。各分離モジュール（41,61）のガス分離膜（85）は、窒素の透過速度が酸素の透過速度と二酸化炭素の透過速度の両方よりも低いという特性を有している。中空糸状の多数のガス分離膜（85）は、それぞれの膜厚が実質的に同じである。従って、各分離モジュール（41,61）に設けられたガス分離膜（85）は、窒素の透過率が酸素の透過率と二酸化炭素の透過率の両方よりも低いという特性を有している。
【００８０】
各分離モジュール（41,61）では、導入口（42,62）を通って導入室（82）へ流入した空気が、中空糸状のガス分離膜（85）の内側の空間を一次側導出室（83）へ向かって流れる。ガス分離膜（85）の内側の空間を流れる空気は、その一部がガス分離膜（85）を透過して二次側導出室（84）へ移動し、残りが一次側導出室（83）へ流入する。
【００８１】
各分離モジュール（41,61）のガス分離膜（85）は、窒素の透過率が酸素および二酸化炭素の透過率よりも低い。つまり、窒素は、酸素および二酸化炭素に比べてガス分離膜（85）を透過しにくい。このため、中空糸状のガス分離膜（85）の内側を流れる空気は、一次側導出室（83）へ近付くにつれて、その窒素濃度が上昇すると同時に、その酸素濃度および二酸化炭素濃度が低下する。また、中空糸状のガス分離膜（85）を流れる空気に含まれる酸素と二酸化炭素は、ガス分離膜（85）を透過して二次側導出室（84）へ移動する。
【００８２】
その結果、ガス分離膜（85）を透過せずに一次側導出室（83）へ流入した空気は、その窒素濃度が導入室（82）の空気よりも高くなり、その酸素濃度および二酸化炭素濃度が導入室（82）の空気よりも低くなる。また、ガス分離膜（85）を透過して二次側導出室（84）へ移動した空気は、その窒素濃度が導入室（82）の空気よりも低くなり、その酸素濃度および二酸化炭素濃度が導入室（82）の空気よりも高くなる。
【００８３】
第１分離モジュール（41）では、第１導入口（42）から導入室（82）へ未処理庫外空気が流入し、ガス分離膜（85）を透過せずに一次側導出室（83）へ流入した空気が第１庫外空気として第１一次側導出口（43）から流出し、ガス分離膜（85）を透過して二次側導出室（84）へ流入した空気が第２庫外空気として第１二次側導出口（44）から流出する。一方、第２分離モジュール（61）では、第２導入口（62）から導入室（82）へ未処理庫内空気が流入し、ガス分離膜（85）を透過せずに一次側導出室（83）へ流入した空気が第１庫内空気として第２一次側導出口（63）から流出し、ガス分離膜（85）を透過して二次側導出室（84）へ流入した空気が第２庫内空気として第２二次側導出口（64）から流出する。
【００８４】
〈センサユニット〉
図１及び図３に示すように、センサユニット（90）は、コンテナ用冷凍機（10）の庫内空気流路（29）の二次流路（29b）に配置される。図３に示すように、センサユニット（90）は、酸素センサ（91）と、二酸化炭素センサ（92）と、センサケース（93）とを備えている。
【００８５】
酸素センサ（91）は、空気等の混合気体の酸素濃度を計測するジルコニア電流方式のセンサである。二酸化炭素センサ（92）は、空気等の混合気体の二酸化炭素濃度を計測する非分散型赤外線吸収（ＮＤＩＲ：non dispersive infrared）方式のセンサである。酸素センサ（91）及び二酸化炭素センサ（92）は、センサケース（93）に収容される。
【００８６】
センサケース（93）は、やや細長い箱状の部材である。センサケース（93）は、長手方向の一方の端部に測定用配管（125）の出口端が接続され、他方の端部に出口管（95）の一端が接続される。出口管（95）の他端は、庫内空気流路（29）の一次流路（29a）に開口する。また、センサケース（93）には、庫内空気流路（29）を流れる庫内空気をセンサケース（93）の内部空間へ導入するためのエアフィルタ（94）が取り付けられる。エアフィルタ（94）は、庫内空気に含まれる塵埃などを捕捉するためのメンブレンフィルタである。
【００８７】
後述するように、庫内ファン（17）の作動中は、二次流路（29b）の気圧が一次流路（29a）の気圧よりも若干高くなる。このため、測定用開閉弁（126）が閉じた状態では、二次流路（29b）の庫内空気がエアフィルタ（94）を通ってセンサケース（93）へ流入し、その後に出口管（95）を通って一次流路（29a）へ流入する。この状態で、センサユニット（90）は、酸素センサ（91）が庫内空気の酸素濃度を計測し、二酸化炭素センサ（92）が庫内空気の二酸化炭素濃度を計測する。
【００８８】
〈換気用排気管〉
換気用排気管（100）は、輸送用コンテナ（1）の内部と外部を繋ぐための配管である。この換気用排気管（100）は、換気用排気通路を構成する。図１に示すように、換気用排気管（100）は、コンテナ用冷凍機（10）のケーシング（20）を貫通する。換気用排気管（100）の一端は、庫内空気流路（29）の二次流路（29b）に開口する。換気用排気管（100）の他端は、庫外機器室（28）における庫外ファン（16）の吸入側に開口する。
【００８９】
図３に示すように、換気用排気管（100）の一端には、エアフィルタ（102）が取り付けられる。エアフィルタ（102）は、庫内空気に含まれる塵埃などを捕捉するためのメンブレンフィルタである。また、換気用排気管（100）には、換気用排気弁（101）が設けられる。換気用排気弁（101）は、電磁弁からなる開閉弁である。
【００９０】
〈制御器〉
制御器（110）は、制御動作を行うＣＰＵ（111）と、制御動作に必要なデータ等を記憶するメモリ（112）とを備える。制御器（110）には、酸素センサ（91）、二酸化炭素センサ（92）、第１圧力センサ（45）、及び第２圧力センサ（65）の計測値が入力される。制御器（110）は、ポンプユニット（35）、第１調節弁（46）、第２調節弁（66）、第１バイパス弁（50）、第２バイパス弁（70）、及び換気用排気弁（101）を操作するための制御動作を行う。
【００９１】
−コンテナ用冷凍機の運転動作−
コンテナ用冷凍機（10）は、輸送用コンテナ（1）の庫内空気を冷却する冷却運転を行う。
【００９２】
冷却運転では、冷媒回路（11）の圧縮機（12）が作動し、冷媒回路（11）において冷媒が循環することによって蒸気圧縮冷凍サイクルが行われる。冷媒回路（11）では、圧縮機（12）から吐出された冷媒が、凝縮器（13）と膨張弁（14）と蒸発器（15）とを順に通過し、その後に圧縮機（12）へ吸入されて圧縮される。
【００９３】
また、冷却運転では、庫外ファン（16）と庫内ファン（17）とが作動する。庫外ファン（16）が作動すると、輸送用コンテナ（1）の外部の庫外空気が庫外機器室（28）へ吸い込まれて凝縮器（13）を通過する。凝縮器（13）では、冷媒が庫外空気へ放熱して凝縮する。庫内ファン（17）が作動すると、輸送用コンテナ（1）の荷室（5）内の庫内空気が庫内空気流路（29）へ吸い込まれて蒸発器（15）を通過する。蒸発器（15）では、冷媒が庫内空気から吸熱して蒸発する。
【００９４】
庫内空気の流れについて説明する。荷室（5）に存在する庫内空気は、吸込口（26）を通って庫内空気流路（29）の一次流路（29a）へ流入し、庫内ファン（17）によって二次流路（29b）へ吹き出される。二次流路（29b）へ流入した庫内空気は、蒸発器（15）を通過する際に冷却され、その後に吹出口（27）から床下流路（4）へ吹き出され、床下流路（4）を通って荷室（5）へ流入する。
【００９５】
庫内空気流路（29）において、一次流路（29a）は庫内ファン（17）の吸い込み側に位置し、二次流路（29b）は庫内ファン（17）の吹き出し側に位置する。このため、庫内ファン（17）の作動中は、二次流路（29b）の気圧が一次流路（29a）の気圧よりも若干高くなる。
【００９６】
−庫内空気調節装置の運転動作−
庫内空気調節装置（30）は、輸送用コンテナ（1）の荷室（5）内の庫内空気の組成（本実施形態では、庫内空気の酸素濃度と二酸化炭素濃度）を調節するための運転を行う。ここでは、本実施形態の庫内空気調節装置（30）の運転動作について、庫内空気の酸素濃度の目標範囲が５％±１％であり、庫内空気の二酸化炭素濃度の目標範囲が２％±１％である場合を例に説明する。
【００９７】
〈庫内空気調節装置の運転動作の概要〉
本実施形態の庫内空気調節装置（30）は、荷室（5）内の庫内空気の酸素濃度を低下させるための酸素濃度低減動作と、荷室（5）内の庫内空気の二酸化炭素濃度を低下させるための二酸化炭素濃度低減動作と、荷室（5）内の庫内空気の酸素濃度を上昇させるための酸素濃度増加動作とを行う。
【００９８】
輸送用コンテナ（1）への貨物（6）の積み込みが完了した時点において、荷室（5）内に存在する庫内空気の組成は、大気の組成（窒素濃度：７８％、酸素濃度：２１％、二酸化炭素濃度：０.０４％）と実質的に同じである。そこで、庫内空気調節装置（30）は、庫内空気の酸素濃度を低下させるための酸素濃度低減動作を行う。庫内空気の酸素濃度が目標範囲の上限値（６％）に達すると、庫内空気調節装置（30）は、酸素濃度低減動作を停止する。
【００９９】
庫内空気の酸素濃度が６％に達して庫内空気調節装置（30）の酸素濃度停止動作が停止した後は、貨物（6）である植物が呼吸することによって、庫内空気の酸素濃度が次第に低下してゆくと同時に、庫内空気の二酸化炭素濃度が次第に上昇する。
【０１００】
庫内空気の二酸化炭素濃度が目標範囲の上限値（３％）に達すると、庫内空気調節装置（30）は、庫内空気の二酸化炭素濃度を低下させるための二酸化炭素濃度低減動作を行う。庫内空気の二酸化炭素濃度が目標範囲の下限値（１％）に達すると、庫内空気調節装置（30）は、二酸化炭素濃度低減動作を停止する。
【０１０１】
また、庫内空気の酸素濃度が目標範囲の下限値（４％）に達すると、庫内空気調節装置（30）は、庫内空気の酸素濃度を上昇させるための酸素濃度増加動作を行う。庫内空気の酸素濃度が目標範囲の上限値（６％）に達すると、庫内空気調節装置（30）は、酸素濃度増加動作を停止する。
【０１０２】
このように、庫内空気調節装置（30）は、荷室（5）内の庫内空気の酸素濃度を２１％（大気の酸素濃度）から目標範囲にまで引き下げるために、酸素濃度低減動作を行う。また、庫内空気調節装置（30）は、荷室（5）内の庫内空気の酸素濃度と二酸化炭素濃度を、それぞれの目標範囲に維持するために、二酸化炭素低減動作と酸素濃度増加動作とを適宜繰り返して行う。
【０１０３】
〈酸素濃度低減動作〉
庫内空気調節装置（30）の酸素濃度低減動作について、図３〜図５を適宜参照しながら説明する。この酸素濃度低減動作では、第１組成調節部（40）が酸素濃度の低い第１庫外空気を荷室（5）へ供給し、第２組成調節部（60）が酸素濃度の低い第１庫内空気を荷室（5）へ供給する。
【０１０４】
酸素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定する。
【０１０５】
先ず、第１ポンプ（36）が作動すると、輸送用コンテナ（1）の外部に存在する庫外空気が、エアフィルタ（47）と庫外側吸入管（55）を通って第１ポンプ（36）に吸い込まれる。第１ポンプ（36）は、吸い込んだ庫外空気を加圧して吐出する。第１ポンプ（36）が吐出する庫外空気の圧力は、大気圧の２倍程度である。第１ポンプ（36）から吐出された庫外空気は、第１導入管（52）を流れ、第１分離モジュール（41）の第１導入口（42）へ未処理庫外空気として流入する。
【０１０６】
第１分離モジュール（41）において、第１導入口（42）を通って導入室（82）へ流入した未処理庫外空気は、中空糸状のガス分離膜（85）へ流入する。中空糸状のガス分離膜（85）の内側を流れる空気は、その一部がガス分離膜（85）を透過して第２庫外空気として二次側導出室（84）へ移動し、残りが第１庫外空気として一次側導出室（83）へ流入する。上述したように、ガス分離膜（85）は、窒素の透過率が酸素の透過率よりも低い特性を持つ。このため、図５に示すように、第１庫外空気の酸素濃度は、未処理庫外空気の酸素濃度よりも低く、第２庫外空気の酸素濃度は、未処理庫外空気の酸素濃度よりも高い。
【０１０７】
第１分離モジュール（41）の第１一次側導出口（43）から第１一次側管（53）へ流出した第１庫外空気は、供給管（120）へ流入する。一方、第１分離モジュール（41）の第１二次側導出口（44）から第１二次側管（54）へ流出した第２庫外空気は、輸送用コンテナ（1）の外部へ排出される。
【０１０８】
次に、第２ポンプ（37）が作動すると、輸送用コンテナ（1）の内部（具体的には、コンテナ用冷凍機（10）の二次流路（29b））に存在する庫内空気が、庫内側吸入管（75）を通って第２ポンプ（37）に吸い込まれる。第２ポンプ（37）は、吸い込んだ庫内空気を加圧して吐出する。第２ポンプ（37）が吐出する庫内空気の圧力は、大気圧よりも若干高い程度である。第２ポンプ（37）から吐出された庫内空気は、第２導入管（72）を流れ、第２分離モジュール（61）の第２導入口（62）へ未処理庫内空気として流入する。
【０１０９】
第２分離モジュール（61）において、第２導入口（62）を通って導入室（82）へ流入した未処理庫内空気は、中空糸状のガス分離膜（85）へ流入する。中空糸状のガス分離膜（85）の内側を流れる空気は、その一部がガス分離膜（85）を透過して第２庫内空気として二次側導出室（84）へ移動し、残りが第１庫内空気として一次側導出室（83）へ流入する。上述したように、ガス分離膜（85）は、窒素の透過率が酸素の透過率よりも低い特性を持つ。このため、図５に示すように、第１庫内空気の酸素濃度は、未処理庫外空気の酸素濃度よりも低く、第２庫内空気の酸素濃度は、未処理庫内空気の酸素濃度よりも高い。
【０１１０】
第２分離モジュール（61）の第２一次側導出口（63）から第２一次側管（73）へ流出した第１庫内空気は、供給管（120）へ流入する。一方、第２分離モジュール（61）の第２二次側導出口（64）から第２二次側管（74）へ流出した第２庫内空気は、輸送用コンテナ（1）の外部へ排出される。
【０１１１】
上述したように、供給管（120）には、第１分離モジュール（41）から流出した第１庫外空気と、第２分離モジュール（61）から流出した第１庫内空気とが流入する。そして、供給管（120）を流れる第１庫外空気と第１庫内空気の混合空気は、コンテナ用冷凍機（10）の二次流路（29b）へ流入し、二次流路（29b）を流れる空気と共に荷室（5）へ供給される。
【０１１２】
通常、酸素濃度低減動作中は、輸送用コンテナ（1）の外部から内部へ供給される第１庫外空気の流量Ｑｏ１が、輸送用コンテナ（1）の内部から外部へ排出される第２庫内空気の流量Ｑｉ２よりも大きくなっており（Ｑｏ１＞Ｑｉ２）、輸送用コンテナ（1）内の気圧が陽圧となる（図５を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、庫内空気の一部は、換気用排気管（100）を通って輸送用コンテナ（1）の外部へ排出される。
【０１１３】
このように、酸素濃度低減動作では、大気に比べて酸素濃度の低い第１庫外空気を供給すると同時に、換気用排気管（100）を通じて荷室（5）内の庫内空気を輸送用コンテナ（1）の外部へ排出し、荷室（5）の空気を第１庫外空気に入れ替えることによって、荷室（5）内の庫内空気の酸素濃度を低下させる。また、酸素濃度低減動作では、未処理庫内空気から分離された酸素濃度の高い第２庫内空気を輸送用コンテナ（1）の外部へ排出することによって、荷室（5）内の庫内空気の酸素濃度を低下させる。
【０１１４】
〈二酸化炭素濃度低減動作〉
庫内空気調節装置（30）の二酸化炭素濃度低減動作について、図３,図４,図６を適宜参照しながら説明する。この二酸化炭素低減動作では、第１組成調節部（40）が酸素濃度の低い第１庫外空気を荷室（5）へ供給し、第２組成調節部（60）が二酸化炭素濃度の低い第１庫内空気を荷室（5）へ供給する。
【０１１５】
二酸化炭素濃度低減動作において、制御器（110）は、第１バイパス弁（50）と第２バイパス弁（70）のそれぞれを第１状態（図３に実線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。そして、第１組成調節部（40）と第２組成調節部（60）のそれぞれにおいて、空気は、酸素濃度低減動作と同様に流れる。ただし、二酸化炭素濃度低減動作において、第１ポンプ（36）が吐出する庫外空気の圧力と、第２ポンプ（37）が吐出する庫内空気の圧力は、いずれも大気圧よりも若干高い程度である。
【０１１６】
第１組成調節部（40）では、第１分離モジュール（41）へ流入した未処理庫外空気が、未処理庫外空気よりも窒素濃度が高くて酸素濃度が低い第１庫外空気と、未処理庫外空気よりも窒素濃度が低くて酸素濃度が高い第２庫外空気とに分離される。そして、第１庫外空気が輸送用コンテナ（1）の内部へ供給され、第２庫外空気が輸送用コンテナ（1）の外部へ排出される。なお、未処理庫外空気の二酸化炭素濃度は、大気の二酸化炭素濃度（０.０４％）と実質的に同じである。このため、第１庫外空気の二酸化炭素濃度は実質的にゼロと見なせる。
【０１１７】
第２組成調節部（60）では、第２分離モジュール（61）へ流入した未処理庫内空気が、未処理庫内空気よりも窒素濃度が高くて酸素濃度および二酸化炭素濃度が低い第１庫内空気と、未処理庫内空気よりも窒素濃度が低くて酸素濃度および二酸化炭素濃度が高い第２庫内空気とに分離される。そして、第１庫内空気が輸送用コンテナ（1）の内部へ供給され、第２庫内空気が輸送用コンテナ（1）の外部へ排出される。
【０１１８】
通常、二酸化炭素濃度低減動作中は、酸素濃度低減動作中と同様に、第１庫外空気の流量Ｑｏ１が第２庫内空気の流量Ｑｉ２よりも大きくなっており（Ｑｏ１＞Ｑｉ２）、輸送用コンテナ（1）内の気圧が陽圧となる（図６を参照）。つまり、第１組成調節部（40）は、輸送用コンテナ（1）内の気圧が陽圧となるように、第１庫外空気を輸送用コンテナ（1）の内部へ供給する。輸送用コンテナ（1）内の気圧が陽圧であるため、荷室（5）内の庫内空気の一部は、換気用排気管（100）を通って輸送用コンテナ（1）の外部へ排出される。
【０１１９】
このように、二酸化炭素濃度低減動作では、二酸化炭素濃度の極めて低い第１庫外空気を供給すると同時に、換気用排気管（100）を通じて庫内空気を輸送用コンテナ（1）の外部へ排出し、荷室（5）の空気を第１庫外空気に入れ替えることによって、荷室（5）内の庫内空気の二酸化炭素濃度を低下させる。また、二酸化炭素濃度低減動作では、未処理庫内空気から分離された二酸化炭素濃度の高い第２庫内空気を輸送用コンテナ（1）の外部へ排出することによって、荷室（5）内の庫内空気の二酸化炭素濃度を低下させる。
【０１２０】
〈酸素濃度増加動作〉
庫内空気調節装置（30）の酸素濃度増加動作について、図３を参照しながら説明する。この酸素濃度増加動作では、第１組成調節部（40）が輸送用コンテナ（1）の外部から吸い込んだ庫外空気をそのまま荷室（5）へ供給し、第２組成調節部（60）が輸送用コンテナ（1）の内部から吸い込んだ庫内空気をそのまま荷室（5）へ送り返す。
【０１２１】
酸素濃度増加動作において、制御器（110）は、第１バイパス弁（50）と第２バイパス弁（70）のそれぞれを第２状態（図３に破線で示す状態）に設定し、ポンプユニット（35）の駆動モータ（38）に通電して第１ポンプ（36）及び第２ポンプ（37）を作動させ、換気用排気弁（101）を開状態に設定し、測定用開閉弁（126）を閉状態に設定する。
【０１２２】
第１組成調節部（40）において、第１ポンプ（36）から吐出された庫外空気は、第１バイパス管（51）へ流入し、その窒素濃度と酸素濃度を保った状態で第１一次側管（53）へ流入し、その後に供給管（120）を通って輸送用コンテナ（1）の内部へ供給される。一方、第２組成調節部（60）において、第２ポンプ（37）へ吸い込まれた庫内空気は、第２ポンプ（37）から吐出された後に第２バイパス管（71）を通って第２一次側管（73）へ流入し、その後に供給管（120）を通って輸送用コンテナ（1）の内部へ戻る。また、荷室（5）内の庫内空気の一部は、換気用排気管（100）を通って輸送用コンテナ（1）の外部へ排出される。
【０１２３】
このように、酸素濃度増加動作では、庫内空気よりも酸素濃度の高い庫外空気を輸送用コンテナ（1）の内部へ供給することによって、荷室（5）内の酸素濃度を上昇させる。
【０１２４】
−制御器の制御動作−
庫内空気調節装置（30）の制御器（110）は、酸素センサ（91）及び二酸化炭素センサ（92）の計測値を監視する。そして、庫内空気調節装置（30）が上述した動作を行うことによって、庫内空気の酸素濃度と二酸化炭素濃度をそれぞれの目標範囲に保たれるように、酸素センサ（91）及び二酸化炭素センサ（92）の計測値に基づいて庫内空気調節装置（30）の構成機器を制御する。
【０１２５】
ところで、輸送用コンテナ（1）の気密性が完全であることは、実際には有り得ない。このため、輸送用コンテナ（1）内が陰圧になると、輸送用コンテナ（1）の隙間を通って庫外空気（即ち、大気）が輸送用コンテナ（1）の内部へ侵入する。酸素濃度低減動作の実行中に庫外空気が輸送用コンテナ（1）の内部へ侵入すると、庫内空気の酸素濃度の低下速度（即ち、単位時間当たりの酸素濃度の低下量）が非常に低くなる場合や、庫内空気の酸素濃度が上昇する場合がある。また、二酸化炭素濃度低減動作の実行中に庫外空気が輸送用コンテナ（1）の内部へ侵入すると、貨物（6）である植物が呼吸によって酸素を消費しているにも拘わらず、庫内空気の酸素濃度が上昇する場合がある。そこで、このような場合、庫内空気調節装置（30）の制御器（110）は、輸送用コンテナ（1）内の気圧を陽圧にするための陽圧維持動作を行う。
【０１２６】
〈陽圧維持動作〉
制御器（110）は、酸素濃度低減動作及び二酸化炭素濃度低減動作の実行中に、酸素センサ（91）の計測値を監視する。制御器（110）は、酸素濃度低減動作及び二酸化炭素濃度低減動作の実行中に酸素センサ（91）の計測値の低下速度（即ち、単位時間当たりの計測値の低下量）が所定の基準値を下回るという判定条件が成立すると、輸送用コンテナ（1）内の気圧が陰圧となって庫外空気が輸送用コンテナ（1）の内部へ侵入していると判断する。なお、酸素センサ（91）の計測値が上昇している場合は、酸素センサ（91）の計測値の低下速度が負の値となる。
【０１２７】
上述した判定条件が成立すると、制御器（110）は、第１組成調節部（40）が輸送用コンテナ（1）の内部へ供給する第１庫外空気の流量を増やすための陽圧維持動作を行う。制御器（110）は、第１組成調節部（40）に設けられた第１調節弁（46）の開度を拡大する動作を、陽圧維持動作として行う。
【０１２８】
陽圧維持動作において、制御器（110）は、第１圧力センサ（45）の計測値を読み込み、読み込んだ第１圧力センサ（45）の計測値よりも低い値を、目標圧力とする。そして、制御器（110）は、第１圧力センサ（45）の計測値が目標圧力となるように、第１調節弁（46）の開度を調節する。第１調節弁（46）の開度が大きくなるほど、第１圧力センサ（45）の計測値は低くなる。そのため、第１圧力センサ（45）の計測値が目標圧力となるように第１調節弁（46）の開度を調節すれば、第１調節弁（46）の開度が次第に拡大する。
【０１２９】
一般に、ガス分離膜（85）には、“その一次側の面に接する空気の圧力とその二次側の面に接する空気の圧力の差が小さいほど、ガス分離膜（85）を透過する空気の成分が少なくなる”という特性がある。第１調節弁（46）の開度が拡大すると、第１分離モジュール（41）のガス分離膜（85）の内側（一次側）を流れる空気の圧力が低くなり、ガス分離膜（85）を透過する空気の成分が減少する。このため、第１調節弁（46）の開度が拡大すると、第１分離モジュール（41）から流出する第１庫外空気の流量が増加する。その結果、第１組成調節部（40）が輸送用コンテナ（1）の内部へ供給する第１庫外空気の流量が増加し、輸送用コンテナ（1）内の気圧が上昇する。
【０１３０】
上述したように、第１調節弁（46）の開度が拡大すると、ガス分離膜（85）を透過する空気の成分が減少する。このため、制御器（110）が陽圧維持動作を行うことによって第１調節弁（46）の開度が拡大すると、それに伴って第１庫外空気の酸素濃度が上昇する。しかし、その場合でも、第１庫外空気の酸素濃度は、大気の酸素濃度よりも低く保たれる。このため、輸送用コンテナ（1）内の気圧を陽圧にして庫外空気の荷室（5）内への侵入を抑えることによって、荷室（5）内の庫内空気の酸素濃度は低下してゆく。
【０１３１】
−実施形態１の効果−
本実施形態の庫内空気調節装置（30）は、輸送用コンテナ（1）内の気圧を陽圧に保ちつつ、輸送用コンテナ（1）内の庫内空気の組成を調節する動作を行う。従って、本実施形態によれば、輸送用コンテナ（1）の気密性がそれほど高くない場合であっても、輸送用コンテナ（1）内への庫外空気（大気）の侵入を防ぐことができ、その結果、輸送用コンテナ（1）内の庫内空気の組成を適切に調節することが可能となる。
【０１３２】
特に、二酸化炭素濃度低減動作中は、第２組成調節部（60）が未処理庫内空気から分離した二酸化炭素濃度の高い第２庫内空気を輸送用コンテナ（1）の外部へ排出することによって、荷室（5）内の庫内空気の二酸化炭素濃度を適切に制御しつつ、第１組成調節部（40）が第１庫外空気を輸送用コンテナ（1）の内部へ供給することによって、輸送用コンテナ（1）内の気圧が陽圧に保たれる。従って、本実施形態によれば、輸送用コンテナ（1）の内部への庫外空気（大気）の侵入を防いで庫内空気の酸素濃度と上昇を抑えつつ、庫内空気の二酸化炭素濃度を適切に制御することが可能となる。
【０１３３】
また、二酸化炭素濃度低減動作中は、第２組成調節部（60）が未処理庫内空気よりも二酸化炭素濃度の高い第２庫内空気を輸送用コンテナ（1）の外部へ排出すると同時に、第１組成調節部（40）が未処理庫外空気よりも酸素濃度の低い第１庫外空気を輸送用コンテナ（1）の内部へ供給する。このため、未処理庫外空気をそのまま輸送用コンテナ（1）の内部へ供給する場合に比べて、輸送用コンテナ（1）の庫内空気の酸素濃度の変動を抑えることができ、庫内空気の組成を適正値に近い状態に保つことが可能となる。
【０１３４】
また、酸素濃度低減動作中は、第１組成調節部（40）が未処理庫外空気よりも酸素濃度の低い第１庫外空気を輸送用コンテナ（1）の内部へ供給すると同時に、第２組成調節部（60）が未処理庫内空気よりも酸素濃度の高い第２庫内空気を輸送用コンテナ（1）の外部へ排出する。従って、本実施形態によれば、第１庫外空気の供給によって荷室（5）内の庫内空気の酸素濃度を低下させる場合に比べて、荷室（5）内の庫内空気の酸素濃度を目標範囲にまで引き下げるのに要する時間を短縮できる。
【０１３５】
《実施形態２》
実施形態２について説明する。本実施形態の庫内空気調節装置（30）は、実施形態１の庫内空気調節装置（30）において、第１組成調節部（40）及び第２組成調節部（60）の構成を変更したものである。ここでは、本実施形態の庫内空気調節装置（30）について、実施形態１の庫内空気調節装置（30）と異なる点を説明する。
【０１３６】
〈第１組成調節部〉
図７に示すように、本実施形態の第１組成調節部（40）には、第１一次側切換弁（56）と、第１一次側排出管（57）と、第１二次側切換弁（58）と、第１二次側供給管（59）とが追加される。
【０１３７】
第１一次側切換弁（56）と第１二次側切換弁（58）のそれぞれは、三つのポートを有する切換弁である。第１一次側切換弁（56）と第１二次側切換弁（58）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１３８】
第１一次側切換弁（56）は、第１一次側管（53）の途中に配置される。第１一次側管（53）において、第１一次側切換弁（56）は、第１バイパス管（51）の出口端よりも供給管（120）寄りに配置される。第１一次側切換弁（56）は、第１のポートが第１調節弁（46）に接続し、第２のポートが供給管（120）に接続する。第１一次側切換弁（56）の第３のポートには、第１一次側排出管（57）の一端が接続する。第１一次側排出管（57）の他端は、第１二次側管（54）に接続する。
【０１３９】
第１二次側切換弁（58）は、第１二次側管（54）の途中に配置される。第１二次側管（54）において、第１二次側切換弁（58）は、第１一次側排出管（57）の他端よりも第１分離モジュール（41）寄りに配置される。第１二次側切換弁（58）は、第１のポートが第１分離モジュール（41）の第１二次側導出口（44）に接続し、第２のポートが第１二次側管（54）を介して輸送用コンテナ（1）の庫外機器室（28）と連通する。第１二次側切換弁（58）の第３のポートには、第１二次側供給管（59）の一端が接続する。第１二次側供給管（59）の他端は、供給管（120）に接続する。
【０１４０】
〈第２組成調節部〉
本実施形態の第２組成調節部（60）には、第２一次側切換弁（76）と、第２一次側排出管（77）と、第２二次側切換弁（78）と、第２二次側供給管（79）とが追加される。
【０１４１】
第２一次側切換弁（76）と第２二次側切換弁（78）のそれぞれは、三つのポートを有する切換弁である。第２一次側切換弁（76）と第２二次側切換弁（78）のそれぞれは、第１のポートが第２のポートと連通して第３のポートから遮断される第１状態（図７に実線で示す状態）と、第１のポートが第３のポートと連通して第２のポートから遮断される第２状態（図７に破線で示す状態）とに切り換わるように構成される。
【０１４２】
第２一次側切換弁（76）は、第２一次側管（73）の途中に配置される。第２一次側管（73）において、第２一次側切換弁（76）は、第２バイパス管（71）の出口端よりも供給管（120）寄りに配置される。第２一次側切換弁（76）は、第１のポートが第２調節弁（66）に接続し、第２のポートが供給管（120）に接続する。第２一次側切換弁（76）の第３のポートには、第２一次側排出管（77）の一端が接続する。第２一次側排出管（77）の他端は、第２二次側管（74）に接続する。
【０１４３】
第２二次側切換弁（78）は、第２二次側管（74）の途中に配置される。第２二次側管（74）において、第２二次側切換弁（78）は、第２一次側排出管（77）の他端よりも第２分離モジュール（61）寄りに配置される。第２二次側切換弁（78）は、第１のポートが第２分離モジュール（61）の第２二次側導出口（64）に接続し、第２のポートが第２二次側管（74）を介して輸送用コンテナ（1）の庫外機器室（28）と連通する。第２二次側切換弁（78）の第３のポートには、第２二次側供給管（79）の一端が接続する。第２二次側供給管（79）の他端は、供給管（120）に接続する。
【０１４４】
−運転動作−
第１組成調節部（40）において、第１一次側切換弁（56）と第１二次側切換弁（58）の両方が第１状態（図７に実線で示す状態）に設定された場合、第１庫外空気は、第１一次側管（53）を通って輸送用コンテナ（1）の内部へ供給され、第２庫外空気は、第２二次側管（74）を通って輸送用コンテナ（1）の外部へ排出される。一方、第１一次側切換弁（56）と第１二次側切換弁（58）の両方が第２状態（図７に破線で示す状態）に設定された場合、第１庫外空気は、第１一次側排出管（57）を通って輸送用コンテナ（1）の外部へ排出され、第２庫外空気は、第１二次側供給管（59）を通って輸送用コンテナ（1）の内部へ供給される。
【０１４５】
第２組成調節部（60）において、第２一次側切換弁（76）と第２二次側切換弁（78）の両方が第１状態（図７に実線で示す状態）に設定された場合、第１庫内空気は、第２一次側管（73）を通って輸送用コンテナ（1）の内部へ供給され、第２庫内空気は、第２二次側管（74）を通って輸送用コンテナ（1）の外部へ排出される。一方、第２一次側切換弁（76）と第２二次側切換弁（78）の両方が第２状態（図７に破線で示す状態）に設定された場合、第１庫内空気は、第２一次側排出管（77）を通って輸送用コンテナ（1）の外部へ排出され、第２庫内空気は、第２二次側供給管（79）を通って輸送用コンテナ（1）の内部へ供給される。
【０１４６】
《実施形態３》
実施形態３の庫内空気調節装置（30）について説明する。実施形態の庫内空気調節装置（30）は、実施形態１の庫内空気調節装置（30）において、第１組成調節部（40）及び制御器（110）を変更したものである。ここでは、実施形態３の庫内空気調節装置（30）について、実施形態１の庫内空気調節装置（30）と異なる点を説明する。
【０１４７】
−第１組成調節部の構成−
本実施形態の第１組成調節部（40）は、実施形態１の第１組成調節部（40）と同様に、輸送用コンテナ（1）の外部から吸い込んだ庫外空気（未処理庫外空気）を第１庫外空気と第２庫外空気に分離するように構成される。本実施形態の第１組成調節部（40）は、いわゆるＰＳＡ（Pressure Swing Adsorption）法によって、未処理庫外空気を第１庫外空気と第２庫外空気に分離するように構成されており、この点で実施形態１の第１組成調節部（40）と相違する。
【０１４８】
図８に示すように、本実施形態の第１組成調節部（40）は、ポンプユニット（35）の第１ポンプ（36）に代えて、エアポンプ（231）を備える。つまり、本実施形態の庫内空気調節装置（30）において、ポンプユニット（35）は、第２ポンプ（37）及び駆動モータ（38）を備えるが、第１ポンプ（36）を備えていない。また、本実施形態の第１組成調節部（40）は、第１方向制御弁（232）及び第２方向制御弁（233）と、第１吸着筒（234）及び第２吸着筒（235）とを備える。後述するように、各吸着筒（234,235）には、空気中の窒素を吸着する吸着剤が設けられる。
【０１４９】
〈エアポンプ〉
エアポンプ（231）は、ユニットケース（32）の内部空間に配置される。エアポンプ（231）は、それぞれが空気を吸引して加圧して吐出する第１ポンプ機構（231a）及び第２ポンプ機構（231b）を備える。第１ポンプ機構（231a）及び第２ポンプ機構（231b）は、潤滑油を使用しないオイルレスのポンプである。加圧部である第１ポンプ機構（231a）と、減圧部である第２ポンプ機構（231b）とは、それらの両方が駆動モータ（231c）の駆動軸に接続される。第１ポンプ機構（231a）及び第２ポンプ機構（231b）のぞれぞれは、駆動モータ（231c）によって回転駆動されることによって、吸込口から空気を吸引して加圧し、加圧した空気を吐出口から吐出する。
【０１５０】
〈外気管、吐出管、フィルタユニット〉
第１ポンプ機構（231a）の吸込口には、外気通路を形成する外気管（241）の一端が接続される。外気管（241）は、ユニットケース（32）を貫通するように設けられる。ユニットケース（32）の外部に位置する外気管（241）の他端は、フィルタユニット（220）に接続される。
【０１５１】
フィルタユニット（220）は、エアフィルタ（47）を備える。エアフィルタ（47）は、庫外空気に含まれる塵埃や塩分などを捕捉するためのフィルタである。本実施形態では、通気性と防水性を有するメンブレンフィルタが、エアフィルタ（47）として用いられる。フィルタユニット（220）は、箱状に形成された部材であり、エアフィルタ（47）を通過した空気（庫外空気）を外気管（241）へ導入する。図示しないが、フィルタユニット（220）は、庫外機器室（28）における凝縮器（13）の下流側に配置される。
【０１５２】
第１ポンプ機構（231a）の吐出口には、吐出通路を形成する吐出管（242）の一端が接続される。吐出管（242）は、他端側で二つの分岐管に分岐しており、一方の分岐管が第１方向制御弁（232）に、他方の分岐管が第２方向制御弁（233）に、それぞれ接続される。
【０１５３】
〈吸引管、供給管〉
第２ポンプ機構（231b）の吸込口には、吸引通路を形成する吸引管（243）の一端が接続される。吸引管（243）は、他端側で二つの分岐管に分岐しており、一方の分岐管が第１方向制御弁（232）に、他方の分岐管が第２方向制御弁（233）に、それぞれ接続される。
【０１５４】
第２ポンプ機構（231b）の吐出口には、供給通路を形成する供給用接続管（244）の一端が接続される。供給用接続管（244）の他端は、供給管（120）に接続される。
【０１５５】
供給用接続管（244）には、その一端から他端へ向かって順に、逆止弁（264）と供給側開閉弁（273）とが設けられる。逆止弁（264）は、供給用接続管（244）の一端から他端へ向かう向きの空気の流通のみを許容し、空気の逆流を防止する。供給側開閉弁（273）は、電磁弁からなる開閉弁である。
【０１５６】
〈方向制御弁〉
第１方向制御弁（232）及び第２方向制御弁（233）のそれぞれは、三つのポートを有する切換弁である。各方向制御弁（232,233）は、第１のポートが第２のポートと連通して第３のポートから遮断される第１状態と、第１のポートが第３のポートと連通して第２のポートから遮断される第２状態とに切り換わるように構成される。
【０１５７】
第１方向制御弁（232）は、第１のポートが第１吸着筒（234）の一端に接続される。また、第１方向制御弁（232）は、第２のポートに吐出管（242）の分岐管が接続され、第３のポートに吸引管（243）の分岐管が接続される。第１方向制御弁（232）は、第１吸着筒（234）を、第１ポンプ機構（231a）に連通する状態と、第２ポンプ機構（231b）に連通する状態とに切り換える。
【０１５８】
第２方向制御弁（233）は、第１のポートが第２吸着筒（235）の一端に接続される。また、第２方向制御弁（233）は、第２のポートに吐出管（242）の分岐管が接続され、第３のポートに吸引管（243）の分岐管が接続される。第２方向制御弁（233）は、第２吸着筒（235）を、第１ポンプ機構（231a）に連通する状態と、第２ポンプ機構（231b）に連通する状態とに切り換える。
【０１５９】
〈吸着筒〉
第１吸着筒（234）及び第２吸着筒（235）のそれぞれは、両端が閉塞された円筒状の容器と、その容器に充填された吸着剤とを備える部材である。
【０１６０】
これら吸着筒（234,235）に充填された吸着剤は、圧力が大気圧よりも高い加圧状態において窒素成分を吸着し、圧力が大気圧よりも低い減圧状態において窒素成分を脱着させる性質を有する。本実施形態では、吸着剤として、例えば、窒素分子の分子径（３．０オングストローム）よりも小さく且つ酸素分子の分子径（２．８オングストローム）よりも大きな孔径の細孔を有する多孔体のゼオライトが用いられる。
【０１６１】
本実施形態の第１組成調節部（40）では、第１吸着筒（234）及び第２吸着筒（235）が第１分離部（41）を構成する。第１分離部（41）を構成する二つの吸着筒（234,235）は、未処理庫外空気を、未処理庫外空気よりも窒素濃度が高くて酸素濃度が低い第１庫外空気と、未処理庫外空気よりも窒素濃度が低くて酸素濃度が高い第２庫外空気に分離する。
【０１６２】
〈酸素排出管〉
酸素排出通路を形成する酸素排出管（245）は、一端側で二つの分岐管に分岐しており、一方の分岐管が第１吸着筒（234）の他端に、他方の分岐管が第２吸着筒（235）にそれぞれ接続される。酸素排出管（245）の各分岐管には、逆止弁（261）が一つずつ設けられる。各逆止弁（261）は、対応する吸着筒（234,235）から流出する向きの空気の流れを許容し、逆向きの空気の流れを遮断する。
【０１６３】
酸素排出管（245）は、ユニットケース（32）を貫通するように設けられる。酸素排出管（245）の他端は、輸送用コンテナ（1）の庫外空間に開口する。酸素排出管（245）の集合部分には、逆止弁（262）とオリフィス（263）とが設けられる。逆止弁（262）は、オリフィス（263）よりも酸素排出管（245）の他端寄りに配置される。この逆止弁（262）は、酸素排出管（245）の他端へ向かう空気の流れを許容し、逆向きの空気の流れを遮断する。
【０１６４】
〈パージ管〉
酸素排出管（245）の各分岐管には、パージ通路を形成するパージ管（250）が接続される。パージ管（250）は、一端が第１吸着筒（234）に接続する分岐管に接続され、他端が第２吸着筒（235）に接続する分岐管に接続される。パージ管（250）の一端は、第１吸着筒（234）と逆止弁（261）の間に接続される。パージ管（250）の他端は、第２吸着筒（235）と逆止弁（261）の間に接続される。
【０１６５】
パージ管（250）には、パージ弁（251）が設けられる。パージ弁（251）は、電磁弁からなる開閉弁である。パージ弁（251）は、第１吸着筒（234）と第２吸着筒（235）を均圧する際に開かれる。また、パージ管（250）におけるパージ弁（251）の両側には、オリフィス（252）が一つずつ設けられる。
【０１６６】
〈排気用接続管〉
供給用接続管（244）には、排気用接続通路を形成する排気用接続管（271）が接続される。排気用接続管（271）は、一端が供給用接続管（244）に接続され、他端が酸素排出管（245）に接続される。排気用接続管（271）の一端は、供給用接続管（244）における第２ポンプ機構（231b）と逆止弁（264）の間に接続される。排気用接続管（271）の他端は、酸素排出管（245）の逆止弁（262）よりも庫外側に接続される。
【０１６７】
排気用接続管（271）には、排気用開閉弁（272）が設けられる。排気用開閉弁（272）は、電磁弁からなる開閉弁である。排気用開閉弁（272）は、供給用接続管（244）を流れる空気を庫外へ排出する際に開かれる。
【０１６８】
〈測定用接続管〉
供給用接続管（244）には、測定用通路を形成する測定用接続管（281）が接続される。この測定用接続管（281）は、第１組成調節部（40）をセンサユニット（90）に接続するための配管である。
【０１６９】
測定用接続管（281）は、一端が供給用接続管（244）に接続され、他端が測定用配管（125）に接続される。測定用接続管（281）の一端は、供給用接続管（244）における逆止弁（264）と供給側開閉弁（273）の間に接続される。測定用接続管（281）の他端は、測定用配管（125）における測定用開閉弁（126）とセンサユニット（90）の間に接続される。
【０１７０】
測定用接続管（281）には、測定用開閉弁（282）が設けられる。測定用開閉弁（282）は、電磁弁からなる開閉弁である。測定用開閉弁（282）は、供給用接続管（244）を流れる空気をセンサユニット（90）へ送る際に開かれる。
【０１７１】
〈バイパス管〉
吐出管（242）には、バイパス通路を形成するバイパス接続管（255）が接続される。バイパス接続管（255）は、一端が吐出管（242）に接続され、他端が測定用接続管（281）に接続される。バイパス接続管（255）の一端は、吐出管（242）の分岐箇所よりも第１ポンプ機構（231a）寄りに接続される。バイパス接続管（255）の他端は、測定用接続管（281）の一端と測定用開閉弁（282）の間に接続される。このバイパス接続管（255）は、第１吸着筒（234）及び第２吸着筒（235）をバイパスさせて庫外空気を輸送用コンテナ（1）の庫内空間へ供給するための第１バイパス通路を形成する。
【０１７２】
バイパス接続管（255）には、バイパス開閉弁（256）が設けられる。バイパス開閉弁（256）は、電磁弁からなる開閉弁である。バイパス開閉弁（256）は、バイパス接続管（255）へ流入する庫外空気の流量を変更するための第１バイパス弁機構を構成する。このバイパス開閉弁（256）は、第１ポンプ機構（231a）が吐出した庫外空気を、その組成を変更せずに荷室（5）へ供給する際に開かれる。
【０１７３】
−第１組成調節部の運転動作−
本実施形態の第１組成調節部（40）の運転動作を説明する。
【０１７４】
本実施形態の第１組成調節部（40）は、後述する第１動作と第２動作を所定の時間（例えば、１４．５秒）ずつ交互に繰り返し行うことによって、未処理庫外空気を第１庫外空気と第２庫外空気に分離する。また、本実施形態の第１組成調節部（40）は、実施形態１の第１組成調節部（40）と同様に、庫内空気調節装置（30）の酸素濃度低減動作と二酸化炭素濃度低減動作のそれぞれにおいて、未処理庫外空気を第１庫外空気と第２庫外空気に分離する動作を行う。
【０１７５】
〈第１動作〉
図９に示すように、第１動作では、第１方向制御弁（232）が第１状態に設定され、第２方向制御弁（233）が第２状態に設定される。その結果、第１ポンプ機構（231a）の吐出口が第１吸着筒（234）に接続し、第２吸着筒（235）が第２ポンプ機構（231b）の吸込口に接続する。また、第１動作では、供給側開閉弁（273）が開かれ、残りの開閉弁（251,256,272,282）が閉じられる。そして、第１動作では、第１吸着筒（234）を対象とする吸着動作と、第２吸着筒（235）を対象とする脱離動作とが行われる。
【０１７６】
第１ポンプ機構（231a）は、外気管（241）から未処理庫外空気を吸い込んで加圧し、加圧した未処理庫外空気を第１吸着筒（234）へ供給する。第１吸着筒（234）では、供給された未処理庫外空気に含まれる窒素が吸着剤に吸着される。その結果、第１吸着筒（234）では、未処理庫外空気よりも窒素濃度が低くて酸素濃度が高い第２庫外空気が生成する。第２庫外空気は、第１吸着筒（234）から流出して酸素排出管（245）を流れ、排出用空気として庫外空間へ排出される。
【０１７７】
一方、第２ポンプ機構（231b）は、第２吸着筒（235）から空気を吸引する。第２吸着筒（235）では、その内部の圧力が低下して吸着剤から窒素が脱離する。その結果、第２吸着筒（235）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０１７８】
〈第２動作〉
図１０に示すように、第２動作では、第１方向制御弁（232）が第２状態に設定され、第２方向制御弁（233）が第１状態に設定される。その結果、第１ポンプ機構（231a）の吐出口が第２吸着筒（235）に接続し、第１吸着筒（234）が第２ポンプ機構（231b）の吸込口に接続する。また、第２動作では、供給側開閉弁（273）が開かれ、残りの開閉弁（251,256,272,282）が閉じられる。そして、第２動作では、第１吸着筒（234）を対象とする脱離動作と、第２吸着筒（235）を対象とする吸着動作とが行われる。
【０１７９】
第１ポンプ機構（231a）は、外気管（241）から未処理庫外空気を吸い込んで加圧し、加圧した未処理庫外空気を第２吸着筒（235）へ供給する。第２吸着筒（235）では、供給された未処理庫外空気に含まれる窒素が吸着剤に吸着される。その結果、第２吸着筒（235）では、未処理庫外空気よりも窒素濃度が低くて酸素濃度が高い第２庫外空気が生成する。第２庫外空気は、第２吸着筒（235）から流出して酸素排出管（245）を流れ、排出用空気として庫外空間へ排出される。
【０１８０】
一方、第２ポンプ機構（231b）は、第１吸着筒（234）から空気を吸引する。第１吸着筒（234）では、その内部の圧力が低下して吸着剤から窒素が脱離する。その結果、第１吸着筒（234）では、未処理庫外空気よりも窒素濃度が高くて酸素濃度が低い第１庫外空気が生成する。第１庫外空気は、第１吸着筒（234）から吸引管（243）へ流入して第２ポンプ機構（231b）へ吸い込まれる。第２ポンプ機構（231b）は、吸い込んだ第１庫外空気を加圧して供給用接続管（244）へ吐出する。第１庫外空気は、供給用空気として供給用接続管（244）を流れ、供給管（120）を流れる空気と合流後に庫内空間へ供給される。
【０１８１】
−制御器の陽圧維持動作−
本実施形態の制御器（110）は、エアポンプ（231）の回転速度を上昇させる動作を、陽圧維持動作として行う。この点で、本実施形態の制御器（110）は、実施形態１の制御器（110）と異なる。
【０１８２】
具体的に、本実施形態の制御器（110）は、実施形態１の説明において述べた判定条件が成立すると、輸送用コンテナ（1）内の気圧が陰圧となって庫外空気が輸送用コンテナ（1）の内部へ侵入していると判断し、第１組成調節部（40）が輸送用コンテナ（1）の内部へ供給する第１庫外空気の流量を増やすための陽圧維持動作を行う。
【０１８３】
本実施形態の制御器（110）は、エアポンプ（231）を駆動するモータ（231c）の回転速度を上昇させる動作を、陽圧維持動作として行う。モータ（231c）の回転速度が上昇すると、エアポンプ（231）の回転速度が上昇する。そして、エアポンプ（231）の回転速度が上昇すると、第２動作中に輸送用コンテナ（1）の内部へ供給される第１庫外空気（供給用空気）の流量が増加し、その結果、輸送用コンテナ（1）内の気圧が上昇する。
【０１８４】
《その他の実施形態》
上記各実施形態の庫内空気調節装置（30）については、次のような変形例を適用してもよい。なお、以下の変形例は、庫内空気調節装置（30）の機能を損なわない限り、適宜組み合わせたり、置換したりしてもよい。
【０１８５】
−第１変形例−
実施形態１〜３の庫内空気調節装置（30）に設けられた制御器（110）は、陽圧維持動作として、判定条件が成立したときに輸送用コンテナ（1）の外部へ排出される第２庫内空気の流量を減らすために第２調節弁（66）の開度を拡大する動作を行うように構成されていてもよい。また、この制御器（110）は、陽圧維持動作として、換気用排気弁（101）を一時的に閉状態に保つ動作、あるいは換気用排気弁（101）を所定の時間間隔で開閉する動作を行うように構成されていてもよい。本変形例の場合は、輸送用コンテナ（1）の内部から外部へ排出される空気の流量を減少させることによって、輸送用コンテナ（1）内の気圧を上昇させる。
【０１８６】
−第２変形例−
実施形態１，２の庫内空気調節装置（30）において、第１分離モジュール（41）のガス分離膜（85）と第２分離モジュール（61）のガス分離膜（85）とは、それぞれの特性が互いに異なっていてもよい。
【０１８７】
−第３変形例−
実施形態１，２の庫内空気調節装置（30）において、第１バイパス弁（50）は、第１分離モジュール（41）へ流入する未処理庫外空気の流量と、第１バイパス管（51）へ流入する未処理庫外空気の流量の割合を、多段階に又は連続的に変更できるように構成されていてもよい。また、第２バイパス弁（70）は、第２分離モジュール（61）へ流入する未処理庫内空気の流量と、第２バイパス管（71）へ流入する未処理庫内空気の流量の割合を、多段階に又は連続的に変更できるように構成されていてもよい。
【０１８８】
−第４変形例−
実施形態１，２の庫内空気調節装置（30）では、第１ポンプ（36）と第２ポンプ（37）のそれぞれに駆動モータが連結されていてもよい。この変形例では、第１ポンプ（36）と第２ポンプ（37）の一方を作動させて他方を休止させることが可能となる。
【０１８９】
−第５変形例−
実施形態１，２の庫内空気調節装置（30）において、第１組成調節部（40）と第２組成調節部（60）のそれぞれは、いわゆるＰＳＡ（Pressure Swing Adsorption）法によって、吸い込んだ空気を互いに組成が異なる二種類の空気に分離するように構成されていてもよい。この場合、組成調節部（40,60）は、吸い込んだ空気に含まれる窒素を吸着剤に吸着させることによって、窒素濃度が低くて酸素濃度および二酸化炭素濃度が高い空気を生成する工程と、吸着剤から窒素を脱離させて窒素濃度が高くて酸素濃度及び二酸化炭素濃度が低い空気を生成する工程とを繰り返し行う。
【０１９０】
−第６変形例−
実施形態１〜３の庫内空気調節装置（30）は、定置型の冷蔵庫または冷凍庫に設けられてもよい。また、上記各実施形態の庫内空気調節装置（30）は、トラックや鉄道などで輸送される陸上輸送用の冷蔵・冷凍コンテナに設けられていてもよい。また、上記各実施形態の庫内空気調節装置（30）は、荷室を形成する箱体が車台と一体になった冷蔵・冷凍トラックに設けられていてもよい。
【０１９１】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１９２】
以上説明したように、本発明は、収納庫の庫内空気の組成を調節する庫内空気調節装置について有用である。
【符号の説明】
【０１９３】
1    輸送用コンテナ（収納庫）
30    庫内空気調節装置
36    第１ポンプ
37    第２ポンプ
40    第１組成調節部
41    第１分離モジュール（第１分離部）
46    第１調節弁（第１弁機構）
50    第１バイパス弁（第１バイパス弁機構）
51    第１バイパス管（第１バイパス通路）
60    第２組成調節部
61    第２分離モジュール（第２分離部）
66    第２調節弁（第２弁機構）
70    第２バイパス弁（第２バイパス弁機構）
71    第２バイパス管（第２バイパス通路）
91    酸素センサ
100    換気用排気管（換気用排気通路）
101    換気用排気弁
110    制御器
255    バイパス接続管（第１バイパス通路）
256    バイパス開閉弁（第１バイパス弁機構）
【手続補正２】
【補正対象書類名】特許請求の範囲
【補正対象項目名】全文
【補正方法】変更
【補正の内容】
【特許請求の範囲】
【請求項１】
収納庫（1）の内部の庫内空気の組成を調節する庫内空気調節装置であって、
上記収納庫（1）の外部の庫外空気から該庫外空気とは組成が異なる供給用空気を分離する第１分離部（41）を有し、上記供給用空気を上記収納庫（1）の内部へ供給する第１組成調節部（40）を備え、
上記第１組成調節部（40）の上記第１分離部（41）が、上記収納庫（1）の外部の庫外空気から該庫外空気よりも酸素濃度が低い上記供給用空気を分離することによって、上記収納庫（1）の庫内空気の酸素濃度を低下させる一方、
上記収納庫（1）の庫内空気の酸素濃度を計測する酸素センサ（91）と、
上記第１組成調節部（40）が上記供給用空気を上記収納庫（1）の内部へ供給しているときにおける上記酸素センサ（91）の計測値の変化に基づいて、上記収納庫（1）内の気圧が陽圧か否かを判断する制御器（110）とを更に備える
ことを特徴とする庫内空気調節装置。
【請求項２】
請求項１において、
上記制御器（110）は、上記収納庫（1）内の気圧が陽圧でないと判断すると上記第１組成調節部（40）が上記収納庫（1）の内部へ供給する供給用空気の流量を増やすための制御動作を行う
ことを特徴とする庫内空気調節装置。
【請求項３】
請求項１又は２において、
上記第１分離部（41）は、上記収納庫（1）の外部から導入された庫外空気である未処理庫外空気を、該未処理庫外空気よりも窒素濃度が高くて酸素濃度が低い第１庫外空気と、上記未処理庫外空気よりも窒素濃度が低くて酸素濃度が高い第２庫外空気に分離するように構成され、
上記第１組成調節部（40）は、上記第１庫外空気を上記供給用空気として上記収納庫（1）の内部へ供給し、上記第２庫外空気を上記収納庫（1）の外部へ排出する
ことを特徴とする庫内空気調節装置。
【請求項４】
請求項３において、
上記第１分離部（41）は、
窒素の透過率が酸素の透過率と二酸化炭素の透過率の両方よりも低いガス分離膜（85）を有し、
上記未処理庫外空気を上記ガス分離膜（85）と接触させ、上記ガス分離膜（85）を透過しなかった空気を上記第１庫外空気とし、上記ガス分離膜（85）を透過した空気を上記第２庫外空気とするように構成されている
ことを特徴とする庫内空気調節装置。
【請求項５】
請求項４において、
上記第１組成調節部（40）は、上記未処理庫外空気を加圧して上記第１分離部（41）へ供給する第１ポンプ（36）を備えている
ことを特徴とする庫内空気調節装置。
【請求項６】
請求項５において、
上記第１組成調節部（40）は、上記第１庫外空気の流れる配管に設けられた開度可変の第１弁機構（46）を備えている
ことを特徴とする庫内空気調節装置。
【請求項７】
請求項３において、
上記第１分離部（41）は、
窒素を吸着する吸着剤が設けられた吸着部（234,235）を有し、
上記吸着部（234,235）に供給された上記未処理庫外空気に含まれる窒素を上記吸着部（234,235）の上記吸着剤に吸着させることによって上記第２庫外空気を生成する吸着動作と、
上記吸着部（234,235）の上記吸着剤から窒素を脱離させることによって上記第１庫外空気を生成する脱離動作とを行うように構成されている
ことを特徴とする庫内空気調節装置。
【請求項８】
請求項１乃至７のいずれか一つにおいて、
上記第１組成調節部（40）は、
上記収納庫（1）の外部の上記庫外空気を、上記第１分離部（41）をバイパスさせて上記収納庫（1）の内部へ供給するための第１バイパス通路（51,255）と、
上記第１バイパス通路（51,255）へ流入する上記庫外空気の流量を変更するための第１バイパス弁機構（50,256）とを備えている
ことを特徴とする庫内空気調節装置。